(57)【特許請求の範囲】
【請求項１】
第１の通信チャネルを介してワイヤレス通信するための第１の通信回路と、
第２の通信チャネルを介してワイヤレス通信するための第２の通信回路と、
前記第１の通信回路と前記第２の通信回路とに結合された処理回路と
を備え、前記処理回路は、
前記第１の通信チャネルと前記第２の通信チャネルとを介してプロキシデバイスとの通信を確立することと、
前記第１の通信回路を電力節約モードで動作させることと
を行うように適合され、前記第１の通信チャネルに関連するフィードバックデータは、前記第１の通信回路をバイパスし、前記第２の通信チャネルを介して搬送され、前記第２の通信回路を介した送信は、前記第１の通信回路を介した送信よりも低い電力を取る、
クライアント端末。
【請求項２】
前記第１の通信回路は、前記第２の通信回路が前記フィードバックデータを搬送するときよりも高いレイテンシで前記フィードバックデータを搬送する、
請求項１に記載のクライアント端末。
【請求項３】
前記電力節約モードにおいて、前記第１の通信回路のプロトコルスタックの下位レイヤが低電力モードに従って動作する間、前記処理回路は、擬似接続モードに従って前記第１の通信回路の前記プロトコルスタックの少なくとも一部を維持する、
請求項１に記載のクライアント端末。
【請求項４】
前記第１の通信チャネルは、ワイドエリアネットワーク内で動作する、
請求項１に記載のクライアント端末。
【請求項５】
前記第２の通信回路は、前記第１の通信回路によるより長距離の送信と比較して短距離の送信に適合された、
請求項１に記載のクライアント端末。
【請求項６】
前記第１の通信回路と前記処理回路とは、
１つまたは複数のチャネル状態を確認するために前記第１の通信チャネルをモニタすることと、
前記確認された１つまたは複数のチャネル状態に基づいて前記フィードバックデータを生成することと
をさらに行うように適合される、請求項１に記載のクライアント端末。
【請求項７】
前記処理回路は、
前記第１の通信回路のためのバッファから前記フィードバックデータを抽出することと、
前記第２の通信回路を介して前記フィードバックデータを送信することと
を行うように適合される、請求項１に記載のクライアント端末。
【請求項８】
前記第１の通信回路は、複数の無線リソース制御（ＲＲＣ）動作モードを指定するＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）エアインターフェース規格に従って動作する、
請求項１に記載のクライアント端末。
【請求項９】
前記電力節約モードにおいて、前記第１の通信回路は、セル順方向アクセスチャネル（Ｃｅｌｌ＿ＦＡＣＨ）モードからアイドルモードに遷移する、
請求項８に記載のクライアント端末。
【請求項１０】
前記フィードバックデータは、前記クライアント端末によって知覚される前記第１の通信チャネルの１つまたは複数の特性を表す、
請求項１に記載のクライアント端末。
【請求項１１】
前記処理回路は、
前記第１の通信回路を介してネットワーク化デバイスとの通信セッションを確立することと、ここで、周期的なハートビート信号は、前記通信セッションを有効に保つために前記クライアント端末によって送られるべきである、
前記クライアント端末の代わりに前記周期的なハートビート信号を送り、データインジケータについて前記通信セッションをモニタするようにプロキシデバイスに対してプロキシ要求を送ることと、
前記第２の通信チャネルが転送されたデータインジケータについてモニタされる間に前記第１の通信回路がアイドル化または無効化される低電力モードに切り替えることと
を行うように適合される、請求項１に記載のクライアント端末。
【請求項１２】
前記第２の通信回路と前記処理回路とは、
前記第２の通信チャネルを介して前記転送されたデータインジケータを受信することと、
前記第１の通信チャネルを介して前記通信セッションの一部としてデータを受信するために、前記転送されたデータインジケータを受信の後に接続モードに切り替えことと
をさらに行うように適合される、請求項１１に記載のクライアント端末。
【請求項１３】
クライアント端末において動作可能な方法であって、
第１の通信チャネルを介して第１の通信回路を通してプロキシデバイスとのワイヤレス通信を確立することと、
第２の通信チャネルを介して第２の通信回路を通してプロキシデバイスとのワイヤレス通信を確立することと、
前記第１の通信回路を電力節約モードで動作させることと
を備え、前記第１の通信チャネルに関連するフィードバックデータは、前記第１の通信回路をバイパスし、前記第２の通信チャネルを介して搬送され、前記第２の通信回路を介した送信は、前記第１の通信回路を介した送信よりも低い電力を取る、
方法。
【請求項１４】
前記第１の通信チャネルは、ワイドエリアネットワーク内で動作し、前記第２の通信回路は、前記第１の通信回路によるより長距離の送信と比較して短距離の送信に適合される、
請求項１３に記載の方法。
【請求項１５】
前記フィードバックデータは、前記クライアント端末によって知覚される前記第１の通信チャネルの１つまたは複数の特性を表す、
請求項１３に記載の方法。
【請求項１６】
前記電力節約モードにおいて、前記第１の通信回路のプロトコルスタックの下位レイヤが低電力モードに従って動作する間、処理回路は、擬似接続モードに従って前記第１の通信回路の前記プロトコルスタックの少なくとも一部を維持する、請求項１３に記載の方法。
【請求項１７】
１つまたは複数のチャネル状態を確認するために前記第１の通信チャネルをモニタすることと、
前記確認された１つまたは複数のチャネル状態に基づいて前記フィードバックデータを生成することと
をさらに備える、請求項１３に記載の方法。
【請求項１８】
前記第１の通信回路のためのバッファから前記フィードバックデータを抽出することと、
前記第２の通信回路を介して前記フィードバックデータを送信することと
をさらに備える、請求項１３に記載の方法。
【請求項１９】
前記第１の通信回路を介してネットワーク化デバイスとの通信セッションを確立することと、ここで、前記通信セッションを有効に保つために周期的なハートビート信号は、前記クライアント端末によって送られるべきである、
前記クライアント端末の代わりに前記周期的なハートビート信号を送り、データインジケータについて前記通信セッションをモニタするようにプロキシデバイスに対してプロキシ要求を送ることと、
前記第２の通信チャネルが転送されたデータインジケータについてモニタされる間に、前記第１の通信回路がアイドル化または無効化される低電力モードに切り替えることと
をさらに備える、請求項１３に記載の方法。
【請求項２０】
前記第２の通信チャネルを介して前記転送されたデータインジケータを受信することと、
前記第１の通信チャネルを介して前記通信セッションの一部としてデータを受信するために、前記転送されたデータインジケータを受信の後に接続モードに前記第１の通信回路を切り替えることと
をさらに備える、請求項１９に記載の方法。
【請求項２１】
第１の通信チャネルを介して第１の通信回路を通してプロキシデバイスとのワイヤレス通信を確立するための手段と、
第２の通信チャネルを介して第２の通信回路を通してプロキシデバイスとのワイヤレス通信を確立するための手段と、
前記第１の通信回路を電力節約モードで動作させるための手段と
を備え、前記第１の通信チャネルに関連するフィードバックデータは、前記第１の通信回路をバイパスし、前記第２の通信チャネルを介して搬送され、前記第２の通信回路を介した送信は、前記第１の通信回路を介した送信よりも低い電力を取る、
クライアント端末。
【請求項２２】
１つまたは複数のチャネル状態を確認するために前記第１の通信チャネルをモニタするための手段と、
前記確認された１つまたは複数のチャネル状態に基づいて前記フィードバックデータを生成するための手段と
をさらに備える、請求項２１に記載のクライアント端末。
【請求項２３】
前記第１の通信回路のためのバッファから前記フィードバックデータを抽出するための手段と、
前記第２の通信回路を介して前記フィードバックデータを送信するための手段と
をさらに備える、請求項２１に記載のクライアント端末。
【請求項２４】
前記第１の通信回路を介してネットワーク化デバイスとの通信セッションを確立するための手段と、ここで、前記通信セッションを有効に保つために周期的なハートビート信号が前記クライアント端末によって送られるべきである、
前記クライアント端末の代わりに前記周期的なハートビート信号を送り、データインジケータについて前記通信セッションをモニタするようにプロキシデバイスに対してプロキシ要求を送るための手段と、
前記第２の通信チャネルが前記プロキシデバイスからの転送されたデータインジケータについてモニタされる間に、前記第１の通信回路がアイドル化または無効化される低電力モードに切り替えるための手段と
をさらに備える、請求項２１に記載のクライアント端末。
【請求項２５】
クライアント端末上で動作可能な１つまたは複数の命令を備えるプロセッサ可読媒体であって、前記１つまたは複数の命令がプロセッサによって実行されたとき、前記プロセッサに、
第１の通信チャネルを介して第１の通信回路を通してプロキシデバイスとのワイヤレス通信を確立することと、
第２の通信チャネルを介して第２の通信回路を通してプロキシデバイスとのワイヤレス通信を確立することと、
前記第１の通信回路を電力節約モードで動作させることと
を行わせ、前記フィードバックデータは、前記第１の通信回路をバイパスし、前記第２の通信チャネルを介して前記プロキシデバイスに搬送され、前記第２の通信回路を介した送信は、前記第１の通信回路を介した送信よりも低い電力を取る、
プロセッサ可読媒体。
【請求項２６】
前記プロセッサに、
前記第１の通信回路を介してネットワーク化デバイスとの通信セッションを確立すると、前記通信セッションを有効に保つために周期的なハートビート信号は、前記クライアント端末によって送られるべきである、
前記クライアント端末の代わりに前記周期的なハートビート信号を送り、データインジケータについて前記通信セッションをモニタするようにプロキシデバイスに対してプロキシ要求を送ることと、
前記第２の通信チャネルは、前記プロキシデバイスからの転送されたデータインジケータについてモニタされる間に前記第１の通信回路がアイドル化または無効化される低電力モードに切り替えることと
を行わせる１つまたは複数の命令をさらに備える、請求項２５に記載のプロセッサ可読媒体。
【請求項２７】
第１の通信チャネルを介してワイヤレス通信するための第１の通信回路と、
第２の通信チャネルを介してワイヤレス通信するための第２の通信回路と、
前記第１の通信回路と前記第２の通信回路とに結合された処理回路であって、前記処理回路は、
前記第２の通信チャネルを介してクライアント端末からフィードバックデータを受信することと、前記フィードバックデータは、前記クライアント端末のための第１の通信チャネルの特性に関連する、
前記クライアント端末の代わりに前記受信したフィードバックデータをネットワークエンティティに通信することと
を行うように適合され、前記第２の通信回路を介した送信は、前記第１の通信回路を介した送信よりも低い電力を取る、プロキシデバイス。
【請求項２８】
前記プロキシデバイスを前記ネットワークエンティティに結合するためのネットワーク通信回路をさらに備え、前記処理回路は、前記受信したフィードバックデータを、前記第２の通信回路から、前記ネットワークエンティティへの送信のための前記ネットワーク通信回路、または前記第１の通信回路のいずれか１つに転送するようにさらに適合される、
請求項２７に記載のプロキシデバイス。
【請求項２９】
前記第１の通信チャネルがワイドエリアネットワーク内で動作し、前記第２の通信回路がＢｌｕｅｔｏｏｔｈ対応回線である、
請求項２７に記載のプロキシデバイス。
【請求項３０】
前記第２の通信回路は、前記第１の通信回路によるより長距離の送信と比較して短距離の送信に適合された、
請求項２７に記載のプロキシデバイス。
【請求項３１】
前記処理回路に結合され、前記ネットワークエンティティへの送信のために前記フィードバックデータが入れられるプロトコルスタックバッファを実装するように適合されるストレージデバイスをさらに備える、
請求項２７に記載のプロキシデバイス。
【請求項３２】
前記クライアント端末のための通信チャネルの特性に関連する前記フィードバックデータは、前記ネットワークエンティティと通信するために前記クライアント端末によって使用される周波数スペクトルに関連するフィードバックデータを含む、
請求項２７に記載のプロキシデバイス。
【請求項３３】
前記処理回路は、
前記クライアント端末とネットワーク化デバイスとの間の通信セッション中に前記クライアント端末のためのプロキシとして働くことを示す信号を前記第２の通信チャネルを介して受信することと、
前記ネットワークエンティティとのネットワーク通信チャネルを介した前記通信セッションを有効に保つために、前記クライアント端末の代わりに前記ネットワーク化デバイスに１つまたは複数の周期的なハートビート信号を送信することと
を行うように適合される、請求項２７に記載のプロキシデバイス。
【請求項３４】
前記処理回路は、
前記ネットワーク通信チャネルを介して前記ネットワーク化デバイスから前記通信セッションに関連するデータインジケータを受信することと、ここで、前記データインジケータは、前記クライアント端末を対象とする、
前記第２の通信チャネルを介して前記データインジケータを前記クライアント端末に転送することと
を行うようにさらに適合される、請求項３３に記載のプロキシデバイス。
【請求項３５】
プロキシデバイスにおいて動作可能な方法であって、
第１の通信チャネルを介して第１の通信回路を通してワイヤレス通信を確立することと、
第２の通信チャネルを介して第２の通信回路を通してワイヤレス通信を確立することと、
第２の通信回路を用いて前記第２の通信チャネルを介してクライアント端末からフィードバックデータを受信することと、前記フィードバックデータは、前記クライアント端末のための第１の通信チャネルの特性に関連する、
前記クライアント端末の代わりに前記受信したフィードバックデータをネットワークエンティティに通信することと
を備え、前記第２の通信回路を介した送信は、前記第１の通信回路を介した送信よりも低い電力を取る、方法。
【請求項３６】
前記受信したフィードバックデータを、前記第２の通信回路から、第１の通信回路、または前記受信したフィードバックデータを前記ネットワークエンティティに通信するための前記ネットワークエンティティと通信しているネットワーク通信回路のいずれか１つに転送することをさらに備える、
請求項３５に記載の方法。
【請求項３７】
前記第２の通信回路は、第１の通信回路によるより長距離の送信と比較して短距離の送信に適合される、
請求項３５に記載の方法。
【請求項３８】
前記フィードバックデータは、前記クライアント端末によって知覚される前記第１の通信チャネルの１つまたは複数の特性を表す、
請求項３５に記載の方法。
【請求項３９】
前記クライアント端末とネットワーク化デバイスとの間の通信セッション中に前記クライアント端末のためのプロキシとして働くことを示す信号を前記第２の通信チャネルを介して受信することと、
前記ネットワークエンティティとのネットワーク通信チャネルを介した前記通信セッションを有効に保つために、前記クライアント端末の代わりに前記ネットワーク化デバイスに１つまたは複数の周期的なハートビート信号を送信することと
をさらに備える、請求項３５に記載の方法。
【請求項４０】
前記ネットワーク通信チャネルを介して前記ネットワーク化デバイスから前記通信セッションに関連するデータインジケータを受信することと、ここで、前記データインジケータは、前記クライアント端末を対象とする、
前記第２の通信チャネルを介して前記データインジケータを前記クライアント端末に転送することと
をさらに備える、請求項３９に記載の方法。
【請求項４１】
第１の通信チャネルを介して第１の通信回路を通してワイヤレス通信を確立するための手段と、
第２の通信チャネルを介して第２の通信回路を通してワイヤレス通信を確立するための手段と、
前記第２の通信チャネルを介してクライアント端末からフィードバックデータを受信するための手段と、ここで、前記フィードバックデータは、前記クライアント端末の第１の通信チャネルの特性に関連する、
前記クライアント端末の代わりに前記受信したフィードバックデータをネットワークエンティティに通信するための手段と
を備え、前記第２の通信回路を介した送信は、前記第１の通信回路を介した送信よりも低い電力を取る、プロキシデバイス。
【請求項４２】
前記第２の通信チャネルを介して前記クライアント端末から前記フィードバックデータを受信するための前記手段は、前記プロキシデバイスの第１の通信回路によるより長距離の送信と比較して短距離の送信に適合された第２の通信回路を含む、
請求項４１に記載のプロキシデバイス。
【請求項４３】
前記ネットワーク通信チャネルを介して前記ネットワーク化デバイスから前記通信セッションに関連するデータインジケータを受信するための手段と、ここで、前記データインジケータは、前記クライアント端末を対象とする、
前記第２の通信チャネルを介して前記データインジケータを前記クライアント端末に転送するための手段と
をさらに備える、請求項４１に記載のプロキシデバイス。
【請求項４４】
プロキシデバイス上で動作可能な１つまたは複数の命令を備えるプロセッサ可読媒体であって、プロセッサによって実行されたとき、前記プロセッサに、
第１の通信チャネルを介して第１の通信回路を通してワイヤレス通信を確立することと、
第２の通信チャネルを介して第２の通信回路を通してワイヤレス通信を確立することと、
第２の通信回路との前記第２の通信チャネルを介してクライアント端末からフィードバックデータを受信することと、ここで、前記フィードバックデータは、前記クライアント端末の第１の通信チャネルの特性に関連する、
前記クライアント端末の代わりに前記受信したフィードバックデータをネットワークエンティティに通信することと
を行わせ、前記第２の通信回路を介した送信は、前記第１の通信回路を介した送信よりも低い電力を取る、プロセッサ可読媒体。
【請求項４５】
前記プロセッサによって実行されたとき、前記プロセッサに、
前記受信したフィードバックデータを、前記第２の通信回路から、第１の通信回路、または前記ネットワークエンティティへの通信のためのネットワーク通信回路のいずれか１つに転送することを行わせる１つまたは複数の命令をさらに備える、
請求項４４に記載のプロセッサ可読媒体。
【請求項４６】
前記プロセッサによって実行されたとき、前記プロセッサに、
前記クライアント端末とネットワーク化デバイスとの間の通信セッション中に前記クライアント端末のためのプロキシとして働くことを示す信号を前記第２の通信チャネルを介して受信することと、
前記ネットワークエンティティとのネットワーク通信チャネルを介した前記通信セッションを有効に保つために、前記クライアント端末の代わりに前記ネットワーク化デバイスに１つまたは複数の周期的なハートビート信号を送信することと
を行わせる１つまたは複数の命令をさらに備える、請求項４４に記載のプロセッサ可読媒体。
【請求項４７】
前記プロセッサによって実行されたとき、前記プロセッサに、
前記ネットワーク通信チャネルを介して前記ネットワーク化デバイスから前記通信セッションに関連するデータインジケータを受信することと、ここで、前記データインジケータが前記クライアント端末を対象とする、
前記第２の通信チャネルを介して前記データインジケータを前記クライアント端末に転送することと
を行わせる１つまたは複数の命令をさらに備える、請求項４６に記載のプロセッサ可読媒体。
【発明の詳細な説明】
【技術分野】
【０００１】
様々な特徴は、ワイヤレス通信システムに関し、少なくともいくつかの特徴は、クライアント端末とプロキシデバイスとの間でデータを通信するために複数のネットワークインターフェースを使用するワイヤレスネットワークにおける伝送性能を改善するためのデバイスおよび方法に関する。
【背景技術】
【０００２】
ワイヤレス信号を通して他のデバイスと通信する、ラップトップコンピュータ、携帯情報端末デバイス、モバイルフォンまたはセルラーフォン、あるいはプロセッサをもつ任意の他のデバイスなどのクライアント端末がますます普及しつつある。クライアント端末は、一般に、異なる動作モードに対して様々なチャネルを利用する。クライアント端末上で動作し、ほぼ連続的なネットワークアクセスをしばしば必要とする強力なアプリケーションを消費者が使用することに伴い、帯域幅などのネットワークリソースを節約することがますます重要になる。同時に、クライアント端末は、電力源（たとえば、再充電可能なバッテリーパック）が限られていることが多いので、再充電するまでの間のクライアント端末の動作寿命を延ばすのを支援し得る様々なモードで動作し得る。
【０００３】
従来のクライアント端末は、ワイヤレスネットワークに実装されている通信規格に応じて、いくつかのモードのうちの１つで動作し得る。たとえば、広帯域符号分割多元接続（ＷＣＤＭＡ（登録商標）：Wideband Code Division Multiple Access）では、クライアント端末は無線リソース制御（ＲＲＣ：Radio Resource Control）アイドルモードまたは接続モードにあり得る。アイドルモードでは、無線リソースは、通信での使用のために利用不可能である。代わりに、ワイヤレスネットワークがページングメッセージおよび／または制御／オーバーヘッドメッセージを送る場合、クライアント端末は、ページングチャネル（ＰＣＨ：paging channel）など、１つまたは複数の制御チャネルを周期的にモニタする。ページングメッセージは、着信データメッセージを受信するための無線リソースを要求するようにクライアント端末に命令し得る。制御／オーバーヘッドメッセージは、クライアント端末のためのシステム情報および他の情報を搬送する。
【０００４】
クライアント端末が発呼すること、または着信呼についてのページ通知を受信することを望む場合、クライアント端末は、発呼または受呼に進む前に、ＲＲＣ接続モードで動作するための無線リソースをワイヤレスネットワークに要求する。ＲＲＣ接続モードでは、クライアント端末は、通信されるデータの量、電力消費量および利用可能なリソースに関して変動する、いくつかの状態で動作することができる。ＲＲＣ接続モードのいくつかの状態は、たとえば、ＵＴＲＡＮ登録エリアページングチャネル（ＵＲＡ＿ＰＣＨ）、セルページングチャネル（ＣＥＬＬ＿ＰＣＨ）、セル専用チャネル（ＣＥＬＬ＿ＤＣＨ）およびセル順方向アクセスチャネル（ＣＥＬＬ＿ＦＡＣＨ）を含み得る。
【０００５】
ＵＲＡ＿ＰＣＨ状態およびＣＥＬＬ＿ＰＣＨ状態はアイドルモードと同様である。たとえば、ＣＥＬＬ＿ＰＣＨおよび／またはＵＲＡ＿ＰＣＨで動作するクライアント端末は、ページングチャネルを周期的にモニタし、ワイヤレスネットワークにいかなる制御パケットまたはデータパケットをも送信することができない。ただし、アイドルモードとは異なり、クライアント端末は、割り当てられるが、維持されない無線リソースを有する。これらの状態でのクライアント端末の電力消費量は、アイドルモードの電力消費量と同様に、極最小である。
【０００６】
ＣＥＬＬ＿ＤＣＨおよびＣＥＬＬ＿ＦＡＣＨは、クライアント端末がワイヤレスネットワークとの間でデータをアクティブに送信および受信する２つの状態である。ＣＥＬＬ＿ＤＣＨ状態では、専用リソースがクライアント端末に割り当てられる。ＣＥＬＬ＿ＦＡＣＨ状態では、クライアント端末は、共通のセル中の他の端末によって共有される共通のリソース（たとえば、チャネル）を使用する。クライアント端末がページングおよび／または制御／オーバーヘッドチャネルを周期的にモニタするだけであるアイドルモード、ＵＲＡ＿ＰＣＨ状態およびＣＥＬＬ＿ＰＣＨ状態とは異なり、ＣＥＬＬ＿ＤＣＨ状態またはＣＥＬＬ＿ＦＡＣＨ状態で動作するクライアント端末は、それの接続期間のかなりの部分の間、データおよび制御チャネルを連続的にモニタしている。したがって、これらの２つの状態は、クライアント端末における電力消費量の大部分の原因である。ＣＥＬＬ＿ＦＡＣＨ状態は、アイドルモードとＣＥＬＬ＿ＤＣＨ状態との間の遷移状態として動作し、一般に、ＣＥＬＬ＿ＤＣＨ状態よりも少ない電力を消費する。
【０００７】
現代のクライアント端末上で動作する「常時接続（always on）」アプリケーションの多くは、インターネットまたは他のネットワーク接続性を実質的に連続的に利用し、このことが、クライアント端末がアイドルモードで動作することを妨げ得る。たとえば、インスタントメッセージングアプリケーション、ボイスオーバＩＰ（ＶｏＩＰ：voice over IP）アプリケーション、プッシュ電子メール、および他の接続プログラムアプリケーションは、一般に、そのようなアプリケーションがバックグラウンドで動作しているときでもアクティブである。１つまたは複数のそのようなアプリケーションが動作している状態で、クライアントデバイスは、インターネット上のサーバへの接続をアクティブに保つために、時間期間（たとえば、分）ごとにいくつかのＩＰパケットを送信および／または受信し得る。そのような低レートデータ通信は、クライアント端末がアクティブにワイヤレスネットワークとの間でデータを送信および受信し得る接続モードを必要とし得る。一般に、そのような低レートデータ通信は、クライアント端末からワイヤレスネットワークにデータを送信するために共有チャネルを利用する接続モードの遷移状態（たとえば、ＣＥＬＬ＿ＦＡＣＨ状態）で行われ、共有チャネルは、比較的低速であり得、従来、多数のクライアント端末を管理することに好適でない。
【０００８】
したがって、クライアント端末が遷移状態で動作しているとき、クライアント端末とワイヤレスネットワークとの間でリソース効率の良い通信を可能にする解決策が必要とされている。
【発明の概要】
【０００９】
１つの特徴は、クライアント端末に電力節約を提供しながら、クライアント端末とワイヤレスネットワークとの間のデータ通信の改善を可能にするための方法を提供する。そのようなクライアント端末は、第１の通信チャネルを介してワイヤレス通信するための第１の通信回路を含み得る。第２の通信チャネルを介してワイヤレス通信するための第２の通信回路も含まれる。処理回路は、第１の通信回路と第２の通信回路とに結合され得る。処理回路は、第１の通信チャネルと第２の通信チャネルの両方を介してプロキシデバイスとの通信を確立するように適合され得る。第１の通信回路は、次いで、電力節約モードで動作し得、第１の通信チャネルに関連するフィードバックデータは、第１の通信回路をバイパスし、第２の通信チャネルを介して搬送される。たとえば、電力節約モードでは、第１の通信回路のプロトコルスタックの下位レイヤ（たとえば、物理レイヤおよび媒体アクセス制御レイヤ）が低電力モードに従って動作する間、処理回路は、擬似接続モードに従って第１の通信回路のプロトコルスタックの少なくとも一部を維持し得る。
【００１０】
処理回路は、第１の通信回路を介してネットワーク化デバイスとの通信セッションを確立するようにさらに適合され得る。通信セッションは、通信セッションを有効に保つためにクライアント端末によって送られるべき周期的なハートビート信号を含み得る。処理回路は、クライアント端末の代わりに周期的なハートビート信号を送り、データインジケータについて通信セッションをモニタするようにプロキシデバイスに要求するように適合されたプロキシ要求を送り得る。処理回路は、次いで、第２の通信チャネルが転送されたデータインジケータについてモニタされる間に第１の通信回路がアイドル化または無効化されるアイドルモードに切り替わり得る。
【００１１】
また、クライアント端末に電力節約を提供しながら、クライアント端末とワイヤレスネットワークとの間のデータ通信の改善を可能にするための、クライアント端末において動作可能な方法が提供される。そのような方法は、第１の通信チャネルを介して第１の通信回路を通して、および第２の通信チャネルを介して第２の通信回路を通して、プロキシデバイスとのワイヤレス通信を確立することを含み得る。第１の通信回路は、第１の通信チャネルに関連するフィードバックデータが、第１の通信回路をバイパスし、第２の通信チャネルを介して搬送される電力節約モードで動作し得る。たとえば、電力節約モードでは、第１の通信回路のプロトコルスタックの下位レイヤが低電力モードに従って動作する間、クライアント端末は、擬似接続モードに従って第１の通信回路のプロトコルスタックの少なくとも一部（たとえば、プロトコルスタックの上位レイヤ）を維持し得る。
【００１２】
さらに、第１の通信回路を介してネットワーク化デバイスとの通信セッションが確立され得る。そのような通信セッションは、通信セッションを有効に保つためにクライアント端末によって送られるべき周期的なハートビート信号を含み得る。クライアント端末の代わりに周期的なハートビート信号を送り、データインジケータについて通信セッションをモニタするようにプロキシデバイスに要求するためのプロキシ要求がクライアント端末によって送られ得る。クライアント端末は、次いで、第２の通信チャネルが転送されたデータインジケータについてモニタされる間に第１の通信回路がアイドル化または無効化される低電力モードに切り替わり得る。
【００１３】
別の特徴は、クライアント端末が低電力モードで動作している間、クライアント端末とワイヤレスネットワークとの間のデータ通信の改善を可能にするためのプロキシデバイスを提供する。そのようなプロキシデバイスは、第１の通信チャネルを介してワイヤレス通信するための第１の通信回路と、第２の通信チャネルを介してワイヤレス通信するための第２の通信回路とを含み得る。処理回路は、第１の通信回路と第２の通信回路とに結合され得る。処理回路は、第２の通信チャネルを介してクライアント端末からフィードバックデータを受信するように適合され得る。そのようなフィードバックデータは、クライアント端末のための第１の通信チャネルの１つまたは複数の特性に関連し得る。処理回路は、クライアント端末の代わりに、受信したフィードバックデータをネットワークエンティティに通信し得る。
【００１４】
プロキシデバイスの処理回路は、クライアント端末とネットワーク化デバイスとの間の通信セッション中にクライアント端末の代わりにプロキシとして働きたいという要求を第２の通信チャネルを介して受信するようにさらに適合され得る。処理回路は、次いで、ネットワークエンティティとのネットワーク通信チャネルを介した通信セッションを有効に保つために、クライアント端末のためにネットワーク化デバイスに１つまたは複数の周期的なハートビート信号を送信し得る。
【００１５】
また、クライアント端末が低電力モードで動作している間、クライアント端末とワイヤレスネットワークとの間のデータ通信の改善を可能にするための、プロキシデバイスにおいて動作可能な方法が提供される。そのような方法は、第２の通信回路を使用して第２の通信チャネルを介してクライアント端末からフィードバックデータを受信することを含み得る。フィードバックデータは、クライアント端末の代わりに第１の通信チャネルの１つまたは複数の特性に関連し得る。受信したフィードバックデータは、（たとえば、ネットワーク通信チャネルを介して）クライアント端末のためにプロキシデバイスによってネットワークエンティティに通信され得る。
【００１６】
そのような方法は、クライアント端末とネットワーク化デバイスとの間の通信セッション中にクライアント端末の代わりにプロキシとして働きたいという要求を受信することをさらに含み得る。プロキシデバイスは、次いで、通信セッションを有効に保つために、クライアント端末のためにネットワーク化デバイスに周期的なハートビート信号を送信し得る。
【図面の簡単な説明】
【００１７】
【図１】プロキシデバイスが、接続モードの遷移状態で動作するクライアント端末のためのデータ通信を可能にし得るワイヤレス通信システムを示すブロック図。
【図２】２つの異なるワイヤレス通信規格のための動作モードを示す図。
【図３】クライアント端末が接続モードの遷移状態で動作するとき、クライアント端末からのいくつかのアップリンク通信がバンド外シグナリングを介して送られ得るワイヤレス通信システムの動作を示すフローチャート。
【図４】クライアント端末がプロキシデバイスと通信するためにバンド外シグナリングを使用し、それによって、ワイドエリアネットワークチャネルを介した送信を回避する通信システムの一例を示すブロック図。
【図５】アクティブ接続を維持するためにクライアント端末がそれのタスクのいくつかを実行するようにプロキシデバイスに割り当て、それによって、クライアント端末が低電力消費モードで動作することが可能になり得るアクティブ同期の一例を示すフローチャート。
【図６】第１の通信回路と第２の通信回路とを使用することによってプロキシデバイスとデータ通信するように構成されたクライアント端末の一例のブロック図。
【図７】セカンダリ通信回路にストレージデバイスへのアクセスを与えるための少なくとも１つの実施形態によるクライアント端末の選択構成要素のブロック図。
【図８】セカンダリ通信回路にストレージデバイスへのアクセスを与えるための少なくとも１つの他の実施形態によるクライアント端末の選択構成要素のブロック図。
【図９Ａ】プロキシデバイスとのデータ通信の改善のための、クライアント端末において動作可能な方法を示すフローチャート。
【図９Ｂ】プロキシデバイスとのデータ通信の改善のための、クライアント端末において動作可能な方法を示すフローチャート。
【図１０】第１のワイヤレスリンクと第２のワイヤレスリンクとを使用して１つまたは複数のクライアント端末と通信するように構成されたプロキシデバイスの一例のブロック図。
【図１１】少なくとも１つの実装形態によるクライアント端末の選択構成要素のブロック図。
【図１２】第１の通信回路の第１の通信プロセッサと第２の通信回路の第２の通信プロセッサとに結合された共有ストレージデバイスを含む別の実施形態によるクライアント端末の選択構成要素のブロック図。
【図１３Ａ】第１のおよび／または第２のワイヤレス通信リンク／チャネルを使用した１つまたは複数のクライアント端末との通信を可能にするための、プロキシデバイスにおいて動作可能な方法を示すフローチャート。
【図１３Ｂ】第１のおよび／または第２のワイヤレス通信リンク／チャネルを使用した１つまたは複数のクライアント端末との通信を可能にするための、プロキシデバイスにおいて動作可能な方法を示すフローチャート。
【発明を実施するための形態】
【００１８】
以下の説明では、実施形態の十分な理解が得られるように具体的な詳細を与える。ただし、これらの実施形態は、これらの具体的な詳細なしに実施され得ることを、当業者なら理解されよう。たとえば、これらの実施形態を不必要な詳細において不明瞭にしないために、回線をブロック図で示すことがある。他の例では、これらの実施形態を不明瞭にしないために、よく知られている回線、構造、および技法を詳細に図示することがある。
【００１９】
以下の説明では、１つまたは複数の実施形態のいくつかの特徴について説明するためにいくつかの用語を使用する。たとえば、「クライアント端末」という用語は、モバイルフォン、ページャ、ワイヤレスモデム、携帯情報端末、個人情報マネージャ（ＰＩＭ：personal information manager）、パームトップコンピュータ、ラップトップコンピュータ、および／もしくは少なくとも部分的にワイヤレスネットワークまたはセルラーネットワークを通して通信する他のモバイル通信／コンピューティングデバイスを指す。「プロキシデバイス」という用語は、ボイスまたはデータネットワークへの（ワイヤレスまたはワイヤード通信デバイスのための）ワイヤレス接続性を可能にし、プライマリ通信回路とセカンダリ通信回路の両方を介してクライアント端末と通信するワイヤレス通信能力を有する任意のデバイスを含み得る。限定ではなく例として、プロキシデバイスのいくつかの実施形態は、基地局、ノードＢデバイス、フェムトセル、ピコセル、マクロセルなどのアクセスノードを備え得る。さらに、「例示的」という単語は、本明細書では、「例、事例、または例示の働きをすること」を意味するために使用する。「例示的」として本明細書で説明するいかなる実装形態または実施形態も、必ずしも他の実装形態または実施形態よりも好ましいまたは有利であると解釈されるべきではない。
【００２０】
概観  
様々な特徴は、ローカルプロキシデバイスを使用することによってクライアント端末における電力節約および／または性能改善を達成することに関する。クライアント端末は、プライマリ通信回路／インターフェースとセカンダリ通信回路／インターフェースとを含み得る。概して、プライマリ通信回路／インターフェースは、セカンダリ通信回路／インターフェースよりも高い電力消費量（および、おそらく長い距離、帯域幅、および／またはデータレート）を有し得る。したがって、可能なときはいつでも、プライマリ通信回路／インターフェースを低電力モードに入れる間、セカンダリ通信回路／インターフェースを利用することが好ましいことがある。
【００２１】
第１の特徴によれば、クライアント端末は、バンド外シグナリングを使用してチャネル測定値フィードバックを実行するように適合され得る。すなわち、クライアント端末は、（クライアント端末によって知覚される）ネットワークチャネル状態を判断するために、それのプライマリ通信回路／インターフェースを使用してネットワーク通信チャネル（たとえば、周波数帯域またはスペクトルなど）上でモニタまたはリッスンし得る。そのようなネットワークチャネル状態（たとえば、フィードバックデータ）をプライマリ通信回路／インターフェースを使用してネットワークに報告するのではなく、クライアント端末は代わりに、セカンダリ通信回路／インターフェースを介してプロキシデバイスにネットワークチャネル状態を送り得る。次いで、プロキシデバイスは、クライアント端末の代わりにネットワークチャネル状態をネットワークに転送する。
【００２２】
第２の特徴によれば、クライアント端末は、プロキシデバイスの支援を受けてアクティブ同期を実行し得る。アクティブ同期では、クライアント端末中のアプリケーションは、それのプライマリ通信回路／インターフェースを介してネットワークエンティティとの通信セッションを確立し得る。通信セッションを有効に保つために、ネットワークエンティティは、クライアント端末がプライマリ通信回路／インターフェースを介して周期的なハートビート（たとえば、キープアライブ（keep alive））信号を送ることを予想し得る。しかしながら、これは、クライアント端末に利用可能な限定された電力リソースを浪費する。代わりに、クライアント端末は、クライアント端末の代わりにネットワークに周期的なハートビート信号を送りたいというプロキシ要求をプロキシデバイスに送る。プロキシデバイスは、通信セッションを有効に保つためにクライアント端末の代わりに周期的なハートビート信号を送ることに着手し、さらに、（たとえば、通信セッションに関連する）クライアント端末のための着信データインジケータについてモニタする。その間に、クライアント端末は、電力を節約するために、プライマリ通信回路／インターフェースの動作状態（たとえば、アイドル）を低下させ得る。データインジケータが受信された場合、プロキシデバイスは、それをセカンダリ通信回路／インターフェースを介してクライアント端末に転送する。そのようなデータインジケータを受信したことの結果として、クライアント端末は、それのプライマリ通信回路／インターフェースをリアクティベートし、通信セッションからの受信を再開し得る。
【００２３】
例示的なネットワーク環境  
図１は、プロキシデバイスが、接続モードの遷移状態で動作するクライアント端末のためのデータ通信を可能にし得るワイヤレス通信システムを示すブロック図である。クライアント端末１０２は、通信ネットワーク１０４の一部であり得るプロキシデバイス１０６を介して通信ネットワーク１０４を通して通信することが可能であり得る。一例では、プロキシデバイス１０６は、ローカルクライアント端末にネットワーク接続性を与えるためにフェムトセルとして動作し得る。
【００２４】
クライアント端末１０２およびプロキシデバイス１０６は、第１のワイヤレスリンク１１２を通して互いに直接通信するためのプライマリ通信回路１０８および１１０（またはトランシーバ）を含む。たとえば、プライマリ通信回路１０８および１１０はそれぞれ、オーバージエア送信の送信および／または受信を可能にする第１のワイヤレス通信インターフェースおよび／または送信機／受信機チェーンを含み得る。さらに、クライアント端末１０２およびプロキシデバイス１０６はまた、第２のワイヤレスリンク１１８を介して互いに直接通信するためのセカンダリ通信回路１１４および１１６（またはトランシーバ）を含む。セカンダリ通信回路１１４および１１６はそれぞれ、オーバージエア送信の送信および／または受信を可能にする第２のワイヤレス通信インターフェースおよび／または送信機／受信機チェーンを含み得る。第１のワイヤレスリンク１１２は、第１の周波数帯域またはチャネル上で動作し得るが、第２のワイヤレスリンク１１８は、第１の周波数帯域またはチャネルとは異なる、またはそれらとは別個の第２の周波数帯域またはチャネル上で動作し得ることに留意されたい。一実装形態では、セカンダリ通信回路１１４および１１６は、同等の動作モード（たとえば接続モード）での所与の動作時間の間、プライマリ通信回路１０８および１１０よりも少ない電力を消費し得る。クライアント端末１０２は、（制限された）内部電源（たとえば、バッテリー）によって電力供給され得る。
【００２５】
クライアント端末１０２は、接続モードと低電力モード（たとえば、アイドル／スリープモード）とを含む様々なモードで動作し得る。接続モードは、クライアント端末１０２に、通信ネットワーク１０４との間で通信を送信および／または受信するための１つまたは複数の専用チャネルが割り当てられる完全接続状態を含み得る。接続モードは、低電力モードと完全接続状態との間の遷移状態をさらに含み得る。遷移状態は、通信ネットワーク１０４との間で通信を送信および／または受信するための１つまたは複数の共有チャネルを使用し得る。そのような遷移状態を、本明細書では擬似接続モード（quasi-connected mode）と呼ぶことがある。
【００２６】
接続モードにある間、クライアント端末１０２は、それのプライマリ通信回路１０８を使用して、プロキシデバイス１０６と通信して、データメッセージおよび／または制御メッセージを受信および／または送信するための呼／セッションを確立し得る。擬似接続モードでは、クライアント端末１０２は、それのデータチャネルまたは制御チャネルを連続的にまたは頻繁にモニタし得、それのセカンダリ通信回路１１４を使用して、プロキシデバイス１０６と通信して、データメッセージまたは制御メッセージを受信および／または送信するためのセッションを確立または維持し得る。低電力モードでは、クライアント端末１０２は、プロキシデバイス１０６によって送られたページングメッセージについてページングチャネルをモニタし得る。いくつかの実施形態では、クライアント端末１０２は、擬似接続モードにあるそれのプライマリ通信回路１０８をオフにし得、セカンダリ通信回路１１４を使用してプロキシデバイス１０６によって送られたページングメッセージについてページングチャネルをモニタし得る。
【００２７】
クライアント端末１０２（またはそれのプライマリ通信回路１０８）の動作モードは、ワイヤレスアクセスノード１２２またはワイヤレス通信ネットワーク１０４の他のエンティティに通信され、および／またはそれらによって設定され得る。たとえば、アクセスノード１２２は、クライアント端末１０２の擬似接続モード（たとえば、Ｃｅｌｌ＿ＦＡＣＨ）を知り得る。したがって、ワイヤレス通信ネットワーク１０４および／またはアクセスノード１２２は、クライアント端末１０２が、それの予想される動作モードに従って応答すること（たとえば、所与の時間期間内にデータ／制御メッセージに応答することなど）を予想する。
【００２８】
１つの特徴によれば、クライアント端末１０２が、それの動作モード（または少なくともプライマリ通信回路１０８の動作モード）を接続モードまたは擬似接続モードから（たとえば、アイドルモードと同様の）低電力モードに変更するとき、プライマリ通信回路１０８は、低レートのデータメッセージまたは制御メッセージを通信するためにバイパスされ得る。代わりに、そのような低レートのデータメッセージおよび／または制御メッセージは、セカンダリ通信回路１１４を使用して通信され得る。接続モードまたは擬似接続モードから低電力モード（たとえば、アイドルモード）に変更する前に、クライアント端末１０２は、セカンダリ通信回路１１４を通してプロキシデバイス１０６との間の通信リンク（たとえば、第２のワイヤレスリンク１１８）をセットアップし得る。すなわち、クライアント端末１０２は、それのプライマリ通信回路１０８上でスキャンすること（たとえば、共通ワイヤレスチャネルを介するプロキシデバイス１０６からのメッセージについてモニタすること）、および／またはそれのセカンダリ通信回路１１４上でスキャンすること（たとえば、プロキシデバイス１０６の存在を示す信号についてモニタすること）によってローカルプロキシデバイス１０６を見つけ得る。いくつかの実施形態では、セカンダリ通信回路１１４は、（たとえば、プライマリ通信回路１０８がバイパスされるとき）クライアント端末１０２とプロキシデバイス１０６との間で低レートのデータメッセージまたは制御メッセージを通信するために採用されることになる回線であるので、プロキシデバイス１０６についてスキャンするために使用され得る。そのようなスキャンを実行する際、クライアント端末１０２は、プライマリ通信回路とセカンダリ通信回路の両方を有する潜在的なプロキシデバイス１０６を識別しようと試み得る。たとえば、プロキシデバイス１０６は、クライアント端末にネットワーク接続性を与えるためにフェムトセルとして動作し得る。したがって、クライアント端末１０２は、接続モードまたは擬似接続モードで動作するときはプライマリ通信回路１０８、１１０を介して、プライマリ通信回路１０８が低電力モード（たとえば、アイドルモード）で動作するときはセカンダリ通信回路１１４、１１６を介して、プロキシデバイス１０６との間でデータメッセージおよび／または制御メッセージを通信することが可能である。
【００２９】
プロキシデバイス１０６がクライアント端末１０２によって識別されたとき、それぞれクライアント端末１０２のセカンダリ通信回路１１４とプロキシデバイス１０６のセカンダリ通信回路１１６とを介して通信リンクが確立またはセットアップされ得る。たとえば、セカンダリ通信回路１１４がＢｌｕｅｔｏｏｔｈ（登録商標）対応回線である場合、プロキシデバイス１０６およびクライアント端末１０２がそれぞれのセカンダリ通信回路１１６および１１４を介して互いに通信することができるように、プロキシデバイス１０６は、ホップシーケンスまたは周波数ホップシーケンスと呼ばれる擬似ランダムシーケンスに従って動作するように構成され得る。通信リンク（たとえば、第２のワイヤレスリンク１１８）がクライアント端末１０２とプロキシデバイス１０６との間に確立され、プロキシデバイス１０６がクライアント端末１０２をプロキシしたいという要求を受け入れると、クライアント端末１０２は、プライマリ通信回路１０８についてそれの動作モードを低電力モード（たとえば、アイドルモード）に変更し得る。一例では、接続モードから擬似接続モードへの遷移は、通信ネットワーク１０４との低データアクティビティに基づいて通信ネットワーク１０４（またはアクセスノード１２２）によって命令または指示され得る。ただし、擬似接続モードから低電力モード（たとえば、アイドルモード）への遷移は、クライアント端末１０２によって独立して指示され得る。したがって、通信ネットワーク１０４および／またはアクセスノード１２２は、依然として、クライアント端末１０２が接続モードまたは擬似接続モードにあると考え得る。それのプライマリ通信回路１０８を接続モードまたは擬似接続モードから低電力モード（たとえば、アイドルモード）に変更する際、クライアント端末１０２は、それのプライマリ通信回路１０８を少なくとも部分的にバイパスし得、プロキシデバイス１０６を介して少なくともいくつかのデータメッセージおよび／または制御メッセージを送信および／または受信するためにそれのセカンダリ通信回路１１４をアクティブ化し得る。
【００３０】
プライマリ通信回路１０８はセカンダリ通信回路１１４よりも比較的遅いので、プライマリ通信回路１０８を少なくとも部分的にバイパスし、少なくともいくつかのデータメッセージおよび／または制御メッセージのためにセカンダリ通信回路１１４を使用することにより、クライアント端末１０２においてそのようなデータメッセージおよび／または制御メッセージのより高速および／またはより頻繁な送信および／または受信が可能になる。さらに、プライマリ通信回路１０８はセカンダリ通信回路１０８よりも多くの電力を消費するので、プライマリ通信回路１０８をバイパスし、少なくともいくつかのデータメッセージおよび／または制御メッセージを送信および／または受信するためにセカンダリ通信回路１１４を使用することにより、クライアント端末１０２における電力節約も可能になる。
【００３１】
限定ではなく例として、プライマリ通信回路１０８、１１０は、Ｗ−ＣＤＭＡ対応トランシーバなどの、長距離、高出力、および／または高帯域幅通信回路であり得る。しかしながら、他の実施形態では、そのような高出力回線は、限定はしないが、Ｗ−ＣＤＭＡ、ｃｄｍａ２０００、ＧＳＭ（登録商標）、ＷｉＭａｘ、およびＷＬＡＮを含む、現代の通信規格に従って動作し得る。
【００３２】
同じく、限定ではなく例として、セカンダリ通信回路１１４、１１６は、短距離、低出力、および／または低帯域幅の通信回路であり得る。たとえば、少なくとも１つの実施形態によるセカンダリ通信回路１１４、１１６はそれぞれ、時分割複信（ＴＤＤ：time-division duplex）方式を使用するＢｌｕｅｔｏｏｔｈ対応トランシーバを備え得る。そのようなＢｌｕｅｔｏｏｔｈ回路は、同期方式で送信と受信とを交互に行い得る。これにより、Ｂｌｕｅｔｏｏｔｈ技術を介して接続された複数の端末は、しばしばピコネットと呼ばれるアドホック方式で通信することが可能になる。
【００３３】
別の特徴によれば、クライアント端末１０２の少なくともいくつかの実施形態は、それの動作モード（または少なくともプライマリ通信回路１０８の動作モード）を接続モード（または擬似接続モード）から低電力モード（たとえば、アイドルまたはスリープモード）に一方的に変更するように構成され得る。動作モードのこの変更により、プライマリ通信回路１０８は完全にまたは周期的にオフにされ、それによって電力を節約する。クライアント端末１０２は、ネットワーク接続（たとえば、インターネット接続）および／またはネットワーク特性（たとえば、チャネル測定値）をモニタしたいというプロキシ要求を選択されたプロキシデバイス１０６に送り得る。他の実施形態では、プロキシデバイス１０６がクライアント端末１０２の代わりにネットワーク接続および／またはネットワーク特性をモニタする間、プロキシデバイス１０６は、低電力モードに切り替えるようにクライアント端末１０２に指示し得る。たとえば、プロキシデバイス１０６は、クライアント端末１０２の動作モードまたはそれのネットワークアクティビティのタイプを識別し、それの動作モードを切り替えたいという要求をクライアント端末１０２に送るように構成され、それにより、プロキシデバイスがクライアント端末１０２の代わりにいくつかの機能を実行することが可能になり得る。プロキシデバイス１０４がクライアント端末１０２のためのプロキシとして確立されると、クライアント端末１０２は、それの動作モードを低電力モード（たとえば、アイドル／スリープモード）に変更するか、またはそのモードにとどまり得、それのプライマリ通信回路１０８の全部または一部を電源切断し（またはオフにし）、プロキシデバイス１０６との間でデータメッセージおよび／または制御メッセージを通信するためにそれのセカンダリ通信回路１１４をアクティブ化し得る。
【００３４】
様々な特徴によれば、選択されたプロキシデバイス１０６は、それのプライマリ通信回路１０８を介して、ならびにそれのセカンダリ通信回路１１４を介してクライアント端末１０２に通信ネットワーク１０４へのアクセスを与え得る。プロキシデバイス１０６は、通信リンク１２０を介して通信ネットワーク１０４に直接結合され得る。様々な実施形態によれば、通信リンク１２０は、通信ネットワーク１０４へのワイヤードまたはワイヤレスリンクを備え得る。プロキシデバイス１０６はまた、クライアント端末１０２に割り振られた１つまたは複数のネットワーク接続またはチャネルをモニタし、クライアント端末１０２を対象とするデータメッセージまたは制御メッセージをセカンダリ通信回路１１６を介してクライアント端末１０２に転送し得る。さらに、プロキシデバイス１０６は、クライアント端末１０２のためのネットワーク特性をモニタするように適合され得る。たとえば、プロキシデバイス１０６は、クライアント端末１０２によって使用されるか、または通信ネットワーク１０４に報告され得るネットワークデータおよび測定値を取得するために、ネットワークの１つまたは複数の他のワイヤレスアクセスノード１２２をモニタし得る。
【００３５】
プロキシデバイス１０６の動作および／または機能はアクセスノードとして実装され得る。本明細書で使用するアクセスノードは、１つまたは複数の端末とワイヤレス通信することができるデバイスであり得、基地局、ノードＢデバイス、フェムトセル、ピコセル、マクロセル、または何らかの他の同様のデバイスと呼ばれることもあり、それらの一部または全部の機能を含み得る。端末（たとえば、クライアント端末１０２）はまた、ユーザ機器（ＵＥ：user equipment）、ワイヤレス通信デバイス、移動局、コンピュータ、ラップトップ、モバイルフォン、モバイルデバイス、セルラーフォン、または何らかの他の用語で呼ばれることがあり、それらの一部または全部の機能を含み得る。
【００３６】
本明細書で説明する通信技法は、符号分割多元接続（ＣＤＭＡ：Code Division Multiple Access）システム、時分割多元接続（ＴＤＭＡ：Time Division Multiple Access）システム、周波数分割多元接続（ＦＤＭＡ：Frequency Division Multiple Access）システム、直交周波数分割多元接続（ＯＦＤＭＡ：Orthogonal Frequency Division Multiple Access）システム、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）など、様々なタイプのワイヤレス通信システム上に実装され得る。ＣＤＭＡシステムは、Ｗｉｄｅｂａｎｄ  ＣＤＭＡ（Ｗ−ＣＤＭＡ）、ＣＤＭＡ２０００などの無線アクセス技術（ＲＡＴ：radio access technology）を実装し得る。ＲＡＴは、オーバージエア通信のために使用される技術を指す。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などのＲＡＴを実装し得る。Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）は、Ｗ−ＣＤＭＡおよびＧＳＭをＲＡＴとして使用するシステムであり、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。３ＧＰＰおよび３ＧＰＰ２の文書は公に入手可能である。
【００３７】
クライアント端末のための例示的な動作モード  
本明細書で説明するように、クライアント端末が様々な動作モード間で切り替える際に、様々な特徴が達成され得る。概して、これらの動作モードは、接続モード、擬似接続モード、および低電力モードとして説明され得る。図２に、２つの異なるワイヤレス通信規格のための動作モードを示す。たとえば、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）は、様々な動作モードを定義する無線リソース制御（ＲＲＣ）を規定するエアインターフェース規格である。ＵＭＴＳ  ＲＲＣ状態２０２は、接続モード２０４、擬似接続モード２０５、および／または低電力モード２０７を定義する。一例では、接続モード２０４は、Ｃｅｌｌ＿ＤＣＨ  ２１２などの様々な状態を含み得、擬似接続モードは、Ｃｅｌｌ＿ＦＡＣＨ２１４、Ｃｅｌｌ＿ＰＣＨ２１６、およびＵＲＡ＿ＰＣＨ２１８を含み得、低電力モードは、アイドルモード２０６を含み得る。
【００３８】
低電力モード２０７は、ワイヤレスネットワークへの接続がない（たとえば、プライマリ通信回路が完全にまたは周期的にオフにされる）ので電力消費量が最も少なくなり得、一方、擬似接続モードは、接続モードと比較して電力消費量がいくぶん低減され得る。一例では、擬似接続モードＣｅｌｌ＿ＦＡＣＨ２１４は、接続モードＣｅｌｌ＿ＤＣＨ２１２の電力のおよそ５０パーセントを消費する。
【００３９】
同様に、Ｅｖｏｌｕｔｉｏｎ−Ｄａｔａ  Ｏｎｌｙ（ＥＶＤＯ）は、ＣＤＭＡ２０００規格ファミリーの一部であり、アクティブモード２３０などの接続モード２２２、中断モード２３２などの擬似接続モード２３１、ならびにアイドルモード２２４、スリープモード２２６、および／またはオフモード２２８などの低電力モード２２３を含む、複数のＥＶＤＯ動作状態２２０を定義する。
【００４０】
アップリンクバンド外送信バイパス  
図３は、クライアント端末が擬似接続モードで動作するとき、クライアント端末からのいくつかのアップリンク通信がバンド外シグナリングを介して送られ得るワイヤレス通信システムの動作を示すフローチャートである。この例は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）に従う、たとえば、無線リソース制御（ＲＲＣ）機能を実装するプライマリ通信回路１０８（たとえば、第１の通信インターフェース）を含み得るクライアント端末１０２の１つの可能な実装形態を示す。クライアント端末１０２は、１つまたは複数のワイヤレスチャネルを介してプロキシデバイス１０６（たとえば、アクセスノード、フェムトセルなど）と通信していることがある。クライアント端末１０２は、たとえば、プロキシデバイス１０６と通信するためにプライマリ通信回路１０８とセカンダリ通信回路１１４とを含み得る。通信チャネルが動的に確立されるのか、あらかじめ確立されているのかにかかわらず、プライマリ通信回路１０８とプロキシデバイス１０６との間のチャネルを本明細書では第１のワイヤレスリンク３０１と呼び、セカンダリ通信回路１１４とプロキシデバイス１０６との間のチャネルを第２のワイヤレスリンク３０３と呼ぶ。
【００４１】
この例では、クライアント端末１０２は、プライマリ通信回路１０８のための第１のワイヤレスリンク３０１（すなわち、アップリンク）に関連する、本明細書では総称してインジケータと呼ぶ、たとえば、チャネル品質インジケータ、データ、および／またはフィードバックメッセージ（たとえば、第１のワイヤレスリンク３０１のチャネル品質インジケータ）を与えるように適合され得る。しかしながら、そのような情報／メッセージを与えるためにプライマリ通信回路１０８を使用するのではなく、クライアント端末１０２は、第２のワイヤレスリンク３０３を介してインジケータを送るためにセカンダリ通信回路１１４を利用し得る。たとえば、Ｃｅｌｌ＿ＦＡＣＨ動作状態中に、クライアント端末１０２は、プライマリ通信回路１０８のためのワイドエリアネットワーク（ＷＡＮ）プロトコルスタックの物理レイヤをバイパスし、代わりに、セカンダリ通信回路１１４を介して（１つまたは複数の）インジケータをルーティングするように適合され得る。
【００４２】
所与の動作点において、プライマリ通信回路１０８は低電力モード３０６（たとえば、アイドルモード）に入れられ得、セカンダリ通信回路１１４は低電力モード３０８（たとえば、アイドルモード）に入れられ得る。プライマリ通信回路１０８は、ページングメッセージ３０２についてページングチャネルをモニタし得る。クライアント端末１０２はまた、ページングチャネル（および含蓄的に第１のワイヤレスリンク）の品質および／または特性（たとえば、信号強度、干渉など）を反映する１つまたは複数のチャネル測定値を取得し得る。次いで、プライマリ通信回路１０８は、ＲＲＣ状態Ｃｅｌｌ＿ＤＣＨを含み得る接続モード３１０に動作モードを変更し、最終的に、クライアント端末１０２との間のネットワーク非アクティビティ（たとえば、ネットワークアクティビティが比較的ほとんどまたはまったくない）によりネットワークによって命令されたとき、ＲＲＣ状態Ｃｅｌｌ＿ＦＡＣＨなどの擬似接続モード３１２に変更し得る。接続モード３１０から擬似接続モード３１２への遷移は、第１のワイヤレスリンク３０１を介した低データアクティビティによりネットワークによって（プロキシデバイス１０６を介して）命令され得ることに留意されたい。
【００４３】
従来、ＲＲＣ状態Ｃｅｌｌ＿ＦＡＣＨでは、クライアント端末は、（たとえば、クライアント端末からネットワークへの）アップリンク方向ではデータメッセージおよび／または制御メッセージを送信するためにランダムアクセスチャネル（ＲＡＣＨ：Random Access Channel）を利用し、（たとえば、ネットワークからクライアント端末への）ダウンリンク方向ではデータメッセージおよび／または制御メッセージを受信するために順方向アクセスチャネル（ＦＡＣＨ：Forward Access Channel）を利用する。信頼性および電力容量を最適化するために、従来のクライアント端末は、プライマリ通信回路を使用してプロキシデバイスにデータメッセージおよび／または制御メッセージ（たとえば、チャネル品質インジケータ、データ、フィードバックメッセージ）を送信し得る。たとえば、Ｗ−ＣＤＭＡでは、クライアント端末は、たとえば、高速の適応変調コーディング（ＡＭＣ：adaptive modulation and coding）を可能にするために、一定の間隔でチャネル品質インジケータ（ＣＱＩ）などのフィードバックデータを送信し得る。そのようなＡＭＣフィードバック制御（たとえば、品質インジケータ）は、たとえば、拡張型第３世代（３Ｇ）モバイルテレフォニー通信プロトコルである高速ダウンリンクパケットアクセス（ＨＳＤＰＡ：High-Speed Downlink Packet Access）において使用され得る。ＨＳＤＰＡを実装する際、（Ｗ−ＣＤＭＡ仕様の場合のように）ＨＳ−ＳＣＣＨ、Ｈ−ＤＰＣＣＨおよびＨＳ−ＰＤＳＣＨの３つの物理レイヤチャネルを使用し得る新しいトランスポートレイヤチャネル（たとえば、高速ダウンリンク共有チャネル（ＨＳ−ＤＳＣＨ：High-Speed Downlink Shared Channel））が定義され得る。アップリンク高速専用物理制御チャネル（ＨＳ−ＤＰＣＣＨ：High Speed-Dedicated Physical Control Channel）は、クライアント端末からネットワークに肯定応答情報と現在のチャネル品質インジケータ（ＣＱＩ）とを搬送する働きをする。次いで、この品質インジケータは、次の送信でどのくらいのデータをクライアント端末に送るべきかを計算するためにネットワークまたは
アクセスノードによって使用され得る。ただし、擬似接続モード（たとえば、Ｃｅｌｌ＿ＦＡＣＨモード）では、ＡＭＣフィードバックを送るためのＨ−ＤＰＣＣＨチャネルが存在しない。代わりに、擬似接続モードにある間、クライアント端末はＲＡＣＨを使用し得る。
【００４４】
ＲＡＣＨおよびＦＡＣＨ上では電力制御が実行されないので、擬似接続モードは、クライアント端末との間の比較的まれなメッセージ送信に対して効率的であり得る。したがって、このモードでは無線レイヤシグナリングオーバーヘッドがなく、それにより、他のクライアント端末のためにより多くのエアインターフェース容量が残り、さらにバッテリー容量が節約される。しかしながら、ＲＡＣＨは、より頻繁なデータメッセージ送信に対して比較的非効率的である。たとえば、ＲＡＣＨには比較的高いレイテンシが関連しており、ＲＡＣＨは、アクセスノードとは対照的に無線ネットワークコントローラ（ＲＮＣ：radio network controller）において終端され、ＲＡＣＨは、チャネルを収集し、送信電力を調整するために電力ランプアッププロシージャを用いる競合ベースチャネルであり、ＲＡＣＨの使用は、アップリンク干渉を増加させる。ＲＡＣＨの非効率性のために、フィードバックデータ送信（たとえば、ＣＱＩ報告）などのデータメッセージは、従来のデバイスでは比較的頻繁に送信されないことがある。
【００４５】
１つの特徴によれば、擬似接続モード３１２（たとえば、ＲＲＣ状態Ｃｅｌｌ＿ＦＡＣＨ）で動作するとき、クライアント端末１０２は、一般にプライマリ通信回路１０８によって実装されるあまり効率的でないチャネル（たとえば、ＲＡＣＨ）をバイパスし得、代わりに、データメッセージおよび／または制御メッセージの通信のために比較的より効率的なセカンダリ通信回路１１４を利用する。したがって、セカンダリ通信回路１１４がスニフモード（Sniff Mode）３１４にある間、プライマリ通信回路１０８は擬似接続モード３１２にある。（たとえば、Ｂｌｕｅｔｏｏｔｈ対応インターフェースのための）スニフモード３１４では、セカンダリ通信回路１１４は、プロキシデバイス１０６にアクティブに接続されないことがあるが、周期的なキープアライブパケット（keep alive packets）を送ることによってそのような接続を行う準備ができている状態にある。
【００４６】
擬似接続モード３１２では、クライアント端末１０２は、たとえば、プロキシデバイス１０６に送られるべきチャネル品質インジケータまたは他のデータ／制御メッセージ３１６を生成し得る。たとえば、チャネル品質インジケータまたは他のデータ／制御メッセージは、クライアント端末１０２によって搬送されるべきデータ／制御メッセージが処理されていたこと、または処理されていることを識別するプロトコルスタックのアプリケーションレイヤまたはネットワークレイヤ（たとえば、非アクセス層（ＮＡＳ：non-access stratum））から受信され得る。一例では、そのようなインジケータまたは他のデータメッセージ３１６は、プライマリ通信回路１０８に関連するプロトコルスタックに最初に入れられ得る。そのプロトコルスタックの物理レイヤに達する前に、インジケータおよび／またはデータ／制御メッセージはセカンダリ通信回路１１４にバイパスされる。これを行うために、プライマリ通信回路１０８は、メッセージがプライマリ通信回路プロトコルスタック中での送信の準備ができているという要求３１３または通知をセカンダリ通信回路１１４に送り得る。プロキシデバイス１０６との通信チャネルをセットアップ３１８した後、セカンダリ通信回路１１４は、接続モード３１９に変更し得、３１５において、そのようなメッセージを送信することが可能であるプライマリ通信回路１０８に応答し得る。次いで、プライマリ通信回路１０８は、ネットワーク構成済み擬似接続モード３１２から低電力モード３２１に切り替える。次いで、プロトコルスタックからのインジケータおよび／またはデータ／制御メッセージ３２０は、３１７において、インジケータおよび／またはデータ／制御メッセージを送信３２３するセカンダリ通信回路１１４にバイパスされる。プライマリ通信回路１０８のプロトコルスタックの下位レイヤ（たとえば、物理レイヤおよび／または媒体アクセス制御レイヤ）が低電力モード３２１に従って動作する間、プライマリ通信回路のためのプロトコルスタックの少なくともいくつかのレイヤ（たとえば、プロトコルスタックの上位レイヤ）は、プライマリ通信回路が擬似接続モード３１２にあるかのように動作し得ることに留意されたい。いくつかの実装形態では、セカンダリ通信回路１１４がプロトコルスタックの下位レイヤ（たとえば、ＭＡＣレイヤまたはＰＨＹレイヤ）からインジケータおよび／またはデータ／制御メッセージ３１６を抽出するように、プロトコルスタックはプライマリ通信回路１０８とセカンダリ通信回路１１４との間で共有され得る。他の実装形態では、インジケータおよび／またはデータ／制御メッセージ３１６が、プロトコルスタックの下位レイヤ（たとえば、ＭＡＣレイヤまたはＰＨＹレイヤ）から抽出され、セカンダリプロトコルスタックに入れられるように、セカンダリ通信回路１１４はそれ自体のセカンダリプロトコルスタックを有し得る。
【００４７】
このようにして、メッセージ（たとえば、インジケータ３１６）は、セカンダリチャネルを介したプロキシデバイス１０６への送信のためにセカンダリ通信回路１１４に移動され、それによって、プライマリ通信回路１０８の一部をバイパスし得る。送信の後、セカンダリ通信回路１１４は、スニフモード３２４にスイッチバックし得る。次いで、プロキシデバイス１０６は、受信したチャネルインジケータをネットワークに転送し得る。このようにして、様々なタイプのデータおよび／または制御シグナリングは、セカンダリ通信回路１１４とプロキシデバイス１０６との間で通信され得る。
【００４８】
クライアント端末１０２が（Ｃｅｌｌ＿ＦＡＣＨなどの）擬似接続モードで動作しているとき、クライアント端末１０２とプロキシデバイス１０６との間でメッセージ（たとえば、チャネル品質インジケータ、データおよび／または制御情報など）を通信するためにプライマリ通信回路１０８の代わりにセカンダリ通信回路１１４を使用することによって、クライアント端末１０２は、より頻繁に（たとえば、制御データおよびフィードバックデータを搬送するメッセージを含む）メッセージを送信することが可能になる。ＣＱＩ報告などのフィードバックデータのより頻繁な送信によって、プロキシデバイス１０６または他の通信ネットワークデバイスは、より正確にダウンリンク送信をスケジュールすることが可能になり、ダウンリンク性能が改善され得る。さらに、プロキシデバイス１０６または他の通信ネットワークデバイスは、より良く、クライアント端末１０２のチャネル状態に一致するようにリソースを割り振り、不要な再送信ならびに電力およびコードの浪費を回避することが可能であり得る。異なる通信リンク（すなわち、第２の通信リンク３０３）が利用されるので、この手法はまた、第１のワイヤレスリンク３０１（たとえば、ワイドエリアネットワーク）上のアップリンク干渉を低減し得る。すなわち、第２のワイヤレスリンク３０３にいくつかの通信を移動することによって、これは、通常ならば、第１の通信リンク３０１を介した送信により、近傍にある他のワイヤレスデバイスによって観測されたであろう干渉を低減する。さらに、セカンダリ通信回路１１４を介してＣＱＩを送る際の遅延（たとえば、Ｂｌｕｅｔｏｏｔｈ遅延＋スニッフ遅延）は第１の通信回路１０８（たとえば、ＲＡＣＨプロシージャ）よりも遅くなり得るので、ＣＱＩを送る時間が低減される。さらに、セカンダリ通信回路１１４の送信電力（たとえば、Ｂｌｕｅｔｏｏｔｈ対応送信機の場合は約３０ｍＡ）は、プライマリ通信回路１０８（たとえば、Ｃｅｌｌ＿ＦＡＣＨでのＷＡＮ送信機の場合は約１２０ｍＡ）よりも低くなり得るので、クライアント端末１０２は電力を節約し得る。（第２のワイヤレスリンク３０３はより迅速にセットアップされ得るので）チャネル測定値（ＣＱＩ）を報告する頻度が増加するので、プロキシデバイス１０６は、より正確にダウンリンク送信をスケジュールし、ダウンリンク性能が改善され得る。また、チャネル測定値（ＣＱＩ）を報告する頻度の増加により、プロキシデバイス１０６は、不要な再送信および電力リソースの浪費を回避することが可能になり得る。
【００４９】
図４は、クライアント端末がプロキシデバイスと通信するためにバンド外シグナリングを使用し、それによって、ワイドエリアネットワークチャネルを介した送信を回避する通信システムの一例を示すブロック図である。この例では、通信システムは、プロキシデバイス４０４と通信しているクライアント端末４０２を含み得る。
【００５０】
クライアント端末４０２は、第１のアンテナ４１８に結合された第１の（プライマリ）通信回路４０６と、第２のアンテナ４２２に結合された第２の（セカンダリ）通信回路４０８とを含み得る。同様に、プロキシデバイス４０４は、第１のアンテナ４２０に結合された第１の（プライマリ）通信回路４１０と、第２のアンテナ４２４に結合された第２の（セカンダリ）通信回路４１２とを含み得る。第１の通信回路４０６および４１０は、第１の通信リンク４１９（たとえば、第１の周波数または第１のチャネル）を介して互いにワイヤレス通信するように適合され得る。この例では、第１の通信回路４０６および４１０はそれぞれ、たとえば、無線リンク制御（ＲＬＣ：Radio Link Control）レイヤ、媒体アクセス制御（ＭＡＣ：Media Access Control）レイヤ、および／または物理（ＰＨＹ：Physical）レイヤを含み得るワイドエリアネットワーク（ＷＡＮ）プロトコルスタック４１４および４１６を実装し得る。同様に、第２の通信回路４０８および４１２はまた、第２の通信リンク４２１（たとえば、第２の周波数または第２のチャネル）を介して互いにワイヤレス通信するように適合され得る。この例では、第２の通信回路４０８および４１２はそれぞれ、ホストコントローラおよび、たとえば、Ｂｌｕｅｔｏｏｔｈ対応の無線を実装し得る。
【００５１】
電力の節約、性能の改善、および／または（第１の通信リンクを介した）ワイドエリアネットワーク上の干渉の低減を行うために、クライアント端末４０２は、特定の擬似接続モード（たとえば、Ｃｅｌｌ＿ＦＡＣＨ）で動作するとき、第１の通信リンク４１９を介したいくつかの通信をバイパスするように適合され得る。たとえば、クライアント端末４０２は、第１の通信回路が擬似接続モードで動作しているときに動作するトリガを用いて適合され得る。データ／制御メッセージまたはインジケータがＷＡＮプロトコルスタック４１４に入れられると、トリガにより、データ／制御メッセージまたはインジケータが、ＷＡＮプロトコルスタック４１４から（たとえば、ＭＡＣレイヤまたはＰＨＹレイヤから）削除され、プロキシデバイス４０４への第２の通信リンク４２１を介した送信のために第２の通信回路４０８に送られるようになり得る。メッセージは、第２の通信回路４０８においてパケットにカプセル化され得、したがって、受信する第２の通信回路４１２はメッセージをどのように処理するのかを知る。たとえば、パケットは、それのヘッダ中に、それをバイパスメッセージとして識別するインジケータを含み、それにより、プロキシデバイス４０４が、そのようなメッセージをＷＡＮプロトコルスタック４１６に入れるべきであることを認識することが可能になり得る。
【００５２】
プロキシデバイス４０４では、第２の通信回路４１２は、第２の通信リンク４２１を介してメッセージ／インジケータを受信し、それをそれのカプセル化から取り除き、それを第１の通信回路４１０のＷＡＮプロトコルスタック４１６に（たとえば、ＭＡＣレイヤまたはＰＨＹレイヤに）入れるかまたは挿入し得る。ＷＡＮプロトコルスタック４１６から、メッセージ／インジケータは、それが第２の通信リンク４２１ではなく第１の通信リンク４１９を介して受信されたかのように処理され得る。たとえば、プロキシデバイス４０４は、次いで、（たとえば、別の通信インターフェースを介して）メッセージおよび／またはインジケータを別のネットワークに転送し得る。
【００５３】
プロキシデバイス支援を使用したアクティブ同期  
図５は、アクティブ接続を維持するためにクライアント端末がそれのタスクのいくつかを実行するようにプロキシデバイスに割り当て、それによって、クライアント端末が低電力消費モードで動作することが可能になり得るアクティブ同期の一例を示すフローチャートである。上記のように、図１、図３および図４に関して、クライアント端末１０２は、接続モードまたは擬似接続モードで動作するときは第１の通信回路を使用して、または低電力モードで動作するときは第２の通信回路を使用してプロキシデバイス１０６を用いてネットワーク１０４と通信し得る。
【００５４】
データ要求５０６がクライアント端末１０２上で動作するプログラムまたはアプリケーションによって生成されるとき、クライアント端末１０２は、低電力モード５０２で動作し得る（たとえば、プライマリ通信回路はアイドルモードで動作する）。たとえば、インスタントメッセージングアプリケーション、ボイスオーバＩＰ（ＶｏＩＰ）アプリケーション、プッシュ電子メール、および／あるいは他の接続プログラムまたはアプリケーションは、ネットワーク上のあるエンティティへの接続を要求し得（たとえば、ハイパーテキスト転送プロトコルＨＴＴＰ要求）、クライアント端末１０２は、ＲＲＣ状態Ｃｅｌｌ＿ＤＣＨなどの接続モード５０４に切り替えり得る（たとえば、プライマリ通信回路は接続モードに切り替える）。
【００５５】
従来のクライアント端末では、プログラムまたはアプリケーションは、ネットワークへのアクティブ接続を必要とし得、したがって、接続をアクティブに保ち、非アクティビティの結果としてネットワークが接続を閉じないことを保証するために、（たとえば、プライマリ通信回路を介して）ネットワークに信号（またはハートビート）を送ることになる。クライアント端末が、直接またはプロキシデバイスを介してネットワークへのそのような接続をセットアップし得ることに留意されたい。そのような従来のクライアント端末は、ハートビートを送るべきときがくるたびに、アイドルモードから接続モードまたは擬似接続モードに切り替わり得る。プライマリ通信回路の接続モードへのそのような周期スイッチングは、クライアント端末上の電力リソースを浪費する。
【００５６】
したがって、１つの特徴によれば、クライアント端末１０２は、プロキシデバイス１０６がクライアント端末１０２のためのプロキシとして働くべきであることをプロキシデバイス１０６に示し得る、指定された数のハートビートとともにデータ５０６を（たとえば、ＨＴＴＰ要求として）プロキシデバイス１０６に送るように適合され得る。プロキシデバイス１０６は、クライアント端末１０６に肯定応答５０８を送り得、ネットワーク１０４にデータ５１０を送り得る。クライアント端末１０２は、ネットワーク１０４またはネットワークデバイス１２２によって命令されると、それの動作モードを、ＲＲＣ状態Ｃｅｌｌ＿ＦＡＣＨを含み得る擬似接続モード５１２に変更し得る。最終的に、ネットワークアクティビティがクライアント端末１０２との間に存在しないとき、クライアント端末１０２は低電力モード５１４（たとえば、アイドルモード）に切り替わり得る。ワイヤレスネットワーク１０４は、クライアント端末１０２が接続モード５０４または擬似接続モード５１２から低電力モード５１４に変化したことに気づくことも気づかないこともあることに留意されたい。クライアント端末１０２が（たとえば、プライマリ通信回路が完全に、実質的にまたは周期的に停止または無効化される）低電力モードに切り替わると、クライアント端末１０２は、もはやキープアライブ信号（ハートビート）を送らなくなり、代わりに、そのようなキープアライブ信号（ハートビート）を送るためにプロキシに依拠する。プログラムまたはアプリケーションをネットワーク１０４に接続された状態に保つためにハートビートが必要とされるたびに、プロキシデバイス１０６は、（クライアント端末１０２の代わりに）ハートビート５１６を適切なネットワークエンティティに搬送し得る。クライアント端末１０２の代わりにネットワーク接続をモニタまたは有効に保つためにプロキシデバイス１０６を採用することによって、たとえば、クライアント端末１０２は低電力モード（たとえば、アイドルモード）でより多くの時間を費やし得るので、クライアント端末１０２は、実質的な電力節約を達成し得る。
【００５７】
クライアント端末のためのプライマリ通信回路が非アクティブである低電力モードにある間、クライアント端末１０２は、プロキシデバイス１０６から通知を受信するために、第２の通信回路（たとえば、プライマリ通信回路の通信インターフェースよりも低電力の通信インターフェース）を利用し得る。クライアント端末１０２中で動作する１つまたは複数のプログラムまたはアプリケーションについてデータインジケータ５２０（たとえば、ページング信号またはメッセージ）が、ネットワークから送られたとき、プロキシデバイス１０６は、データインジケータ５２０を受信し、第２の通信回路を介してデータインジケータ５２２をクライアント端末１０２に転送する。それの第２の通信回路によってデータインジケータを受信すると、クライアント端末は、プライマリ通信回路が再びアクティブになる接続モード５２４（たとえば、Ｃｅｌｌ＿ＤＣＨ）に切り替わり得る。次いで、クライアント端末１０２は、直接ネットワーク１０４との同期５２６（たとえば、プライマリ通信回路を介した同期）を要求し得、データ５２８は、クライアント端末１０２とネットワーク１０４との間で通信され得る。
【００５８】
例示的なクライアント端末  
図６は、第１の通信回路と第２の通信回路とを使用することによってプロキシデバイスと通信するように構成されたクライアント端末の一例のブロック図である。クライアント端末６０２は、小型および／または低電力マイクロプロセッサなどの処理回路６０４を含み得る。クライアント端末６０２はまた、クライアント端末６０２が第１のワイヤレス通信リンク６０８（プライマリリンク）上でプロキシデバイスと通信することを可能にする第１の（たとえば、プライマリ）通信回路６０６を含み得る。たとえば、第１の通信回路６０６は、ＣＤＭＡ対応ネットワークなどを介した長距離通信（たとえば、ワイドエリアネットワーク）のために使用される高出力通信インターフェースであり得る。クライアント端末６０２はまた、プロキシデバイスへの第２のワイヤレス通信リンク６１２（たとえば、セカンダリチャネル）上でクライアント端末６０２をプロキシデバイスに通信可能に結合する第２の（たとえばセカンダリ）通信回路６１０を含み得る。たとえば、第２の通信回路６１０は、Ｂｌｕｅｔｏｏｔｈ対応ネットワークなどを介した短距離通信のために使用される低出力通信回路であり得る。クライアント端末６０２はバッテリー駆動であり得、そのようなバッテリーが供給することができる電力量は制限されている。したがって、クライアント端末６０２は、図３〜図５に示す電力節約特徴のうちの１つまたは複数を実行するように適合され得る。
【００５９】
従来のクライアント端末では、クライアント端末の第１の通信回路は、データ／制御チャネルをモニタし、クライアント端末がそれの様々な接続動作モードまたは擬似接続動作モードのいずれかで動作しているときはいつでも、データ／制御メッセージをプロキシデバイスに通信するために使用される。たとえば、ＲＲＣ状態Ｃｅｌｌ＿ＦＡＣＨなどの擬似接続モードでは、従来のクライアント端末のプライマリ通信回路は、アップリンクでメッセージ（たとえば、ＣＱＩ）を送信するためにランダムアクセスチャネル（ＲＡＣＨ）を利用し、ダウンリンクでメッセージを受信するために順方向アクセスチャネル（ＦＡＣＨ）を利用する。しかしながら、ＲＡＣＨは、フィードバック送信（たとえば、ＣＱＩ報告）など、より頻繁なメッセージ送信に対して比較的非効率的である。
【００６０】
クライアント端末６０２は、擬似接続モードにあるときに第２のまたはセカンダリ通信回路６１０を使用することによってプロキシデバイス６０８との通信の改善を達成するように構成され得る。これを達成するために、クライアント端末６０２は、それの処理回路６０４、第１の通信回路６０６および／または第２の通信回路６１０を介して１つまたは複数の動作を実行するように適合され得る。すなわち、処理回路６０４は、電力節約目的のために、第１の通信回路６０６から第２の通信回路６１０に通信を切り替えるように適合（たとえば、プログラム）され得る。たとえば、典型的な接続モードまたは擬似接続モードでは、クライアント端末６０２の処理回路６０４により、メッセージが第１の通信回路６０６を使用してプロキシデバイスとの間で搬送されるようになり得る。しかしながら、クライアント端末６０２が擬似接続モードで動作するときに電力を節約するために、処理回路６０４は、第１の通信回路６０６または少なくともそれの一部分をバイパスし、代わりに、第２の通信回路６１０を利用して第１の通信回路プロトコルスタックとの間でメッセージを搬送するように構成され得る。
【００６１】
限定ではなく例として、少なくともいくつかの実施形態では、処理回路６０４は、データまたは制御情報の１つまたは複数のパケットを形成するためにプロトコルスタックの様々なレイヤを通してメッセージを処理するように適合され得る。たとえば、処理回路６０４は、ＲＲＣ状態Ｃｅｌｌ＿ＦＡＣＨの擬似接続モードで動作する間、メッセージをＲＡＣＨを使用して搬送するように準備する（すなわち、処理する）ように適合され得る。そのようなプロトコルスタックは、無線リンク制御（ＲＬＣ）レイヤ、媒体アクセス制御（ＭＡＣ）レイヤ、物理（ＰＨＹ）レイヤ、ならびに他のものを含み得、プロトコルスタックの各レイヤを処理するためにバッファが採用され得る。（データおよび／または制御情報を含む）パケット化されたメッセージが、プロトコルスタックの各レイヤを通して処理され、最終的にＰＨＹバッファ上にあるとき、メッセージは、第１の通信回路６１０を介してＲＡＣＨを使用して送信される準備ができている状態にあり得る。しかしながら、擬似接続モードで動作するとき、処理回路は、第１の通信回路６０６をバイパスし、第２の通信回路６１０を使用してパケット化されたメッセージを搬送するように適合され得る。したがって、パケット化されたメッセージは、ＰＨＹバッファ（またはプロトコルスタックの何らかの他のレイヤ）から、パケット化されたメッセージが第２の通信リンクを使用して搬送される第２の通信回路６１０に読み取られる。
【００６２】
少なくともいくつかの実施形態では、第２の通信回路６１０は、第１の通信回路６０６をバイパスするために、プロトコルスタックまたはバッファを実装するように適合されたストレージデバイスまたはメディアからパケット化されたデータメッセージを取得するように構成され得る。図７および図８に、クライアント端末６０２の代替の例示的な実施形態を示す。
【００６３】
図７は、第２の通信回路にストレージデバイスへのアクセスを与えるための少なくとも１つの実施形態によるクライアント端末７０２の選択構成要素のブロック図である。図示のように、第１の通信回路６０６は、プロトコルスタックバッファを実装するように適合されたストレージデバイス７２０を含み得る。そのようなプロトコルスタックは、無線リンク制御（ＲＬＣ）レイヤバッファ、媒体アクセス制御（ＭＡＣ）レイヤバッファ、および物理（ＰＨＹ）レイヤバッファを含む複数のバッファを含み得る。第１の通信回路６０６をバイパスし、第２の通信回路６１０を使用するために、クライアント端末６０２が擬似接続モードに切り替わるとき、第２の通信回路６１０は、プロトコルスタックバッファのうちの少なくとも１つからデータメッセージまたは制御メッセージを読み取るように構成され得る。たとえば、第２の通信回路６１０は、パケット化（すなわち、第１の通信回路６０６を介した送信のために準備）されており、ストレージデバイス７２０中のバッファのうちの１つに入れられているメッセージを読み取るように適合された第２の通信プロセッサ７２２を含み得る。バッファから読み取られたパケット化されたデータは、次いで、第２の通信回路６１０による送信のために準備（たとえば、カプセル化）され、次いで、プロキシデバイスにセカンダリリンク６１２を介して送信され得る。
【００６４】
図８は、セカンダリ通信回路６１０にストレージデバイスへのアクセスを与えるための少なくとも１つの他の実施形態によるクライアント端末８０２の選択構成要素のブロック図である。第１の通信回路６０６は第１の通信プロセッサ８２４を含み得、第２の通信回路６１０は第２の通信プロセッサ８２２を含み得る。第１の通信プロセッサ８２４と第２の通信プロセッサ８２２の両方は、共有ストレージデバイス８２６に結合され得る。共有ストレージデバイス８２６は、複数のバッファを含むプロトコルスタックバッファを実装するように適合され得る。メッセージは、第１の通信回路６０６を使用した送信のために処理（たとえば、特定のプロトコルスタックに従ってパケット化）され、プロトコルスタックバッファのバッファに記憶され得る。クライアント端末６０２が接続モードで動作しているとき、第１の通信回路６０６は、共有ストレージデバイス８２６からパケット化されたメッセージを読み取り得る。クライアント端末６０２が擬似接続モードに切り替わると、第１の通信プロセッサ８２４は、共有ストレージデバイス８２６からのパケット化されたデータメッセージの読取りを停止するように適合され得、第２の通信プロセッサ８２２は、共有ストレージデバイス８２６から読み取られたパケット化されたメッセージの読取り、処理、および搬送を開始し得る。
【００６５】
図７および図８に、複数の処理回路（たとえば、処理回路６０４、第１の通信プロセッサ８２４および第２の通信プロセッサ７２２／８２２）を備えるクライアント端末７０２および８０２を示したが、様々な実施形態によれば、複数の処理回路が単一の処理回路として実装され得ることに留意されたい。
【００６６】
追加の特徴によれば、クライアント端末６０２の少なくともいくつかの実施形態は、第３のモード（たとえば、アイドル／スリープモードなどの低電力モード）に切り替わり、ネットワーク接続（たとえば、インターネット接続）をモニタするためにプロキシデバイスを使用することによって電力を節約するように構成され得る。
【００６７】
現代のクライアント端末は、実質的に連続的にインターネットまたは他のネットワーク接続性を利用する様々なプログラムアプリケーションを実行し得る。たとえば、それらは、インスタントメッセージングアプリケーション、ボイスオーバＩＰ（ＶｏＩＰ）アプリケーション、プッシュ電子メールおよび他の接続されたプログラムアプリケーションを実行し得る。従来、クライアント端末は、様々なプログラムアプリケーションの各々についてネットワーク上のサーバへの接続をアクティブに保つために、第１の通信回路を介して毎分いくつかのＩＰパケットを送信および受信する。本明細書で上記で説明したように、第２の通信回路を使用してこれらの低レートデータメッセージを送信および受信することに加えて、クライアント端末６０２の少なくともいくつかの実施形態は、サーバへのそのような接続をモニタし、ネットワーク接続をアクティブに保つためにそのようなＩＰパケットを送信するためにプロキシデバイスがそれのプロキシとして働くことを要求するように構成され得る。
【００６８】
プロキシデバイスがプロキシとして働く間、クライアント端末は、接続モードまたは擬似接続モードから低電力モード（たとえば、アイドル／スリープモード）に切り替わるように構成され得る。低電力モードでは、処理回路６０４は、プロキシデバイスがメッセージを転送したかどうかを判断することを第２の通信回路６１０に割り当て得る。第２の通信回路６１０を介してクライアント端末上のアプリケーションについてのメッセージが受信された場合、処理回路６０４は、擬似接続モードまたは接続モードに切り替わり得る。処理回路６０４がクライアント端末６０２を擬似接続モードに変更した場合、処理回路６０４は、第２の通信回路６１０を使用してプロキシデバイスを介してネットワークとの通信を続け得る。処理回路６０４が接続モードに変化した場合、処理回路６０４は、プロキシデバイスを通してネットワークと通信するために第１の通信回路６０６をアクティブ化し得る。
【００６９】
（図９Ａおよび図９Ｂを備える）図９は、プロキシデバイスとのデータ通信を改善するためにクライアント端末において動作可能な方法を示すフローチャートである。本明細書で説明するように、クライアント端末は、（ａ）プロキシデバイスを介したバンド外シグナリングを使用したチャネル測定値フィードバック、および／または（ｂ）プロキシデバイスの支援を受けたアクティブ同期を実行するように適合され得る。図９Ａおよび図９Ｂに示す方法は一緒に実行されるか、または互いに独立して（別個に）実行され得ることに留意されたい。
【００７０】
プロキシデバイスを介してチャネル測定値フィードバックを実行する際、最初に、９０２において、第１の通信チャネルを介して第１の通信チャネルに関連するフィードバックデータまたは制御情報をワイヤレス通信するために、第１の（たとえば、プライマリ）通信回路が少なくとも部分的にアクティブである第１のモード（たとえば、擬似接続モードまたは場合によっては接続モード）でクライアント端末を動作させる。たとえば、第１の通信回路は、ワイヤレスネットワーク用の高出力または長距離通信回路であり得、第１のモードは、擬似接続モード（ＣＥＬＬ  ＦＡＣＨ）であり得る。擬似接続モードでは、クライアント端末は、プロキシデバイスを介して通信し、および／またはプロキシデバイスとのデータチャネルをモニタし得る。たとえば、メッセージは、第１の通信回路を使用した伝達のためにメッセージがパケット化または適合されるワイドエリアネットワーク（ＷＡＮ）プロトコルスタックに従って処理され得る。第１の通信回路は、次いで、物理レイヤバッファ中にあるパケット化されたメッセージをプロキシデバイスに搬送し得る。そのようなメッセージは、クライアント端末によって知覚される第１の通信チャネルの１つまたは複数の特性を表すフィードバックデータまたは制御情報を含み得る。すなわち、フィードバックデータまたは制御情報は、クライアント端末によって測定され、ネットワークに報告されるチャネル測定値（たとえば、周波数スペクトル測定値）を含み得る。フィードバックデータを取得するために、クライアント端末は、１つまたは複数のチャネル状態を確認するために第１の通信チャネルをモニタし得、次いで、確認された１つまたは複数のチャネル状態に基づいてフィードバックデータを生成する。
【００７１】
擬似接続モードでの動作中、クライアント端末は、９０４において、それが第２のモード（たとえば、低電力モード）に入るべきであるかどうかを判断する。たとえば、しきい値時間量の間にアクティビティの低減（たとえば、最近のｙ秒の間にクライアント端末とプロキシデバイスとの間でｘ個のパケット）が観測された場合、クライアント端末は、第２のモード（たとえば、ＵＭＴＳ  ＲＲＣ状態−アイドルモード）に切り替えることによってチャネル効率を改善し電力を節約しようと試み得る。これを行うために、クライアント端末は、最初に、９０６において、第２のワイヤレスインターフェースを介して（たとえば、第２のワイヤレス回線を使用して）通信するためにプロキシデバイスが利用可能であるかどうかを判断する。利用可能であった場合、次いで、クライアント端末は、９０８において、第２の通信チャネルを介して第２の通信回路を通してプロキシデバイスとのワイヤレス通信を確立する。たとえば、セカンダリ通信回路がＢｌｕｅｔｏｏｔｈ対応回線である場合、プロキシデバイスおよびクライアント端末がそれぞれのセカンダリ通信回路を介して互いに通信することができるように、プロキシデバイスは、ホップシーケンスまたは周波数ホップシーケンスと呼ばれる擬似ランダムシーケンスに従って動作するように構成され得る。
【００７２】
第２の通信回路を介した通信リンク／チャネルがクライアント端末とプロキシデバイスとの間に確立されると、クライアント端末は、９１０において、第１の通信回路がバイパスされ、フィードバックデータ（あるいはデータおよび／または制御情報）が第２の通信回路を使用してプロキシデバイスとの間で搬送される第２のモード（たとえば、低電力モード）で動作するように切り替える。たとえば、クライアント端末は、第１の通信回路のためのバッファからフィードバックデータを抽出し得、次いで、第２の通信回路を介してフィードバックデータを送信する。たとえば、クライアント端末が擬似接続モードで動作しているとき、第１の通信回路によって搬送されるように処理された、物理レイヤバッファ中にあるパケット化されたデータ／制御メッセージは第２の通信回路に利用可能になる。第２の通信回路は、物理レイヤバッファからデータ／制御メッセージを読み取り、第２の通信回路を介したプロキシデバイスへの伝達のためにパケット化されたデータ／制御メッセージを適合させる（たとえば、カプセル化する）。第２の通信回路がＢｌｕｅｔｏｏｔｈ対応回線である実装形態では、第１の通信回路を介した送信のために処理されたパケット化されたデータ／制御メッセージは、物理レイヤバッファから読み取られ、Ｂｌｕｅｔｏｏｔｈ通信パケット内にカプセル化され得る。
【００７３】
第２の通信回路を介してプロキシデバイスの支援を受けてアクティブ同期を実行する際、クライアント端末はまた、プロキシデバイスを使用し得る。クライアント端末は、１つまたは複数のプログラムまたはアプリケーションについてネットワーク接続を有効に保ち、１つまたは複数のプログラムおよび／またはアプリケーションについての、ネットワークからのデータ／制御メッセージについてモニタするために、プロキシデバイスが１つまたは複数のプログラムおよび／またはアプリケーションのためのネットワーク接続をモニタすることを要求し得る。すなわち、接続動作モード中、クライアント端末は、９１２において、第１の通信回路を介したネットワーク化デバイスとの通信セッション（たとえば、１つまたは複数のプログラムおよび／またはアプリケーションのためのネットワーク接続）を確立し、通信セッションを有効に保つためにクライアント端末によって周期的なハートビート信号が送られるべきである。しかしながら、実際に周期的なハートビート信号（たとえば、キープアライブ信号）自体を送るのではなく、クライアント端末は、９１４において、クライアント端末の代わりに周期的なハートビート信号を送るようにプロキシデバイスにプロキシ要求を送り、データインジケータについて通信セッションをモニタする。次いで、９１６において、第２の通信チャネルがプロキシデバイスからの転送されたデータ／制御メッセージインジケータについてモニタされる間に、第１の通信回路がアイドル化または無効化される第２のモード（たとえば、低電力モード）にクライアント端末を動作させる、または切り替える。
【００７４】
その後、プロキシデバイスがデータインジケータを受信すると、クライアント端末は、９１８において、第２の通信チャネルを介してプロキシデバイスから転送されたデータ／制御メッセージインジケータを受信する。（たとえば、データまたは制御情報が通信セッション中にクライアント端末に送信されていることを示し得る）そのような転送されたデータ／制御メッセージインジケータを受信すると、９２０において、第１の通信チャネルを介して通信セッションの一部としてデータ／制御メッセージを受信するために、クライアント端末を第３のモード（たとえば、接続モード）に切り替える。
【００７５】
例示的なプロキシデバイス  
図１０は、第１のワイヤレスリンクと第２のワイヤレスリンクとを使用して１つまたは複数のクライアント端末と通信するように構成されたプロキシデバイスの一例のブロック図である。プロキシデバイス１００２は、第１の（たとえば、プライマリ）通信回路（またはインターフェース）１００６、第２の（たとえば、セカンダリ）通信回路（またはインターフェース）１００８、および／またはネットワーク通信回路（またはインターフェース）に結合された処理回路１００４を含み得る。プロキシデバイス１００２は、（ワイヤードまたはワイヤレス）ネットワークリンク１０１６を介して通信ネットワークに直接結合するためにネットワーク通信回路１０１４を使用し得る。ネットワーク通信回路１０１４を通して、プロキシデバイス１００２は、プロキシデバイス１００２によってサービスされているクライアント端末との間で通信を転送すること、および／または他のネットワーク関連情報を受信することが可能であり得る。プロキシデバイス１００２は、アクセスノードとして動作するように構成され得る。本明細書で使用するアクセスノードは、１つまたは複数の端末とワイヤレス通信することができるデバイスであり得、基地局、ノードＢデバイス、フェムトセル、ピコセル、マクロセル、または何らかの他の同様のデバイスと呼ばれることもあり、それらの一部または全部の機能を含み得る。プロキシデバイス１００２がフェムトセルである例では、プロキシデバイス１００２は、ワイヤレス通信のための１つまたは複数のワイヤレス通信回路／インターフェースと、固定電話またはブロードバンドネットワーク接続のためのネットワーク通信回路／インターフェースとを含み得る。
【００７６】
第１の通信回路１００６は、第１のワイヤレス通信リンク１０１０を使用してプロキシデバイス１００２をクライアント端末に通信可能に結合し得る。たとえば、第１の通信回路１００６は、ＣＤＭＡ対応ネットワークなどを介した長距離通信のために使用される高出力回線であり得る。第１の通信回路１００６は、プロキシデバイス１００２を、通信ネットワークおよび／あるいは通信ネットワークの１つまたは複数のアクセスノードに通信可能に結合するようにさらに適合され得る。第１のワイヤレス通信リンク１０１０を使用してクライアント端末から送られたデータ／制御メッセージは、第１の通信回路１００６によって受信され、処理のために、第１の通信回路１００６に関連するプロトコルスタックバッファに一時的に記憶されるか、または書き込まれ得る。
【００７７】
第２の通信回路１００８は、第２のワイヤレス通信リンク１０１２を使用してプロキシデバイス１００２をクライアント端末に結合するために使用され得る。たとえば、第２の通信回路１００８は、Ｂｌｕｅｔｏｏｔｈ対応ネットワークなどを介した短距離通信に使用される低出力回線であり得る。処理回路１００４は、第２の通信回路１００８を使用してクライアント端末からデータ／制御メッセージを受信するように適合（たとえば、プログラム）され得、データ／制御メッセージは、第１のワイヤレス通信リンク１０１０を使用したクライアント端末からの通信／送信のために準備されたが、代わりに、第２のワイヤレス通信リンク１０１２を使用するように適合され、それを使用して通信／送信された。第２の通信回路１００８によって受信されたデータ／制御メッセージは、最初に、第１のワイヤレス通信リンク１０１０を介した送信のために準備（パケット化）されたので、処理回路１００４は、追加の処理のために、（ａ）第２の通信回路１００８を使用して搬送されるメッセージからパケット化されたデータ／制御メッセージを抽出することと、（ｂ）第１の通信回路１００６に関連するプロトコルスタックバッファにパケット化されたデータメッセージを書き込むこととを行うように適合され得る。
【００７８】
ネットワーク通信回路１０１４は、プロキシデバイス１００２をサービングネットワークに結合するために使用され得る。たとえば、プロキシデバイス１００２は、ローカルクライアント端末にネットワーク接続性を与えるために、ある領域中で動作するリレーまたはフェムトセルであり得る。たとえば、プロキシデバイス１００２は、第１のおよび／または第２の通信回路を介して（１つまたは複数の）クライアント端末とワイヤレス通信し得るが、固定電話ブロードバンド接続を介してネットワークに通信し、それによって、（１つまたは複数の）クライアント端末とネットワークとの間の送信を可能にする。
【００７９】
限定ではなく例として、少なくともいくつかの実施形態では、データ／制御メッセージは、擬似アクティブモードのＲＲＣ状態Ｃｅｌｌ＿ＦＡＣＨで動作する間、ランダムアクセスチャネル（ＲＡＣＨ）を使用して第１のワイヤレス通信リンク１０１０を介してクライアント端末から搬送され得る。そのようなデータ／制御メッセージは、第１の通信回路１００６に関連するプロトコルスタックバッファにパケット中で搬送され得、パケット化されたデータメッセージは、ＲＡＣＨフォーマットパケットの様々なプロトコルスタックレイヤからデータ／制御情報を抽出するために処理回路１００４によって処理される。しかしながら、いくつかの実装形態では、同じデータ／制御メッセージは、ＲＡＣＨを使用した送信に備えてパケット化され得るが、代わりに、Ｂｌｕｅｔｏｏｔｈ通信リンクなどの第２のワイヤレス通信リンクを介して処理回路１００４に搬送され得る。そのような場合、第２の通信回路１００８によって受信されたパケット化されたデータ／制御メッセージは、ＲＡＣＨフォーマットパケットの様々なプロトコルスタックレイヤからデータ／制御情報を適切に抽出するために、処理回路１００４によって第２の通信回路１００８から第１の通信回路１００６に関連するプロトコルスタックバッファに搬送され得る。
【００８０】
第２の通信回路１００８がパケット化されたデータ／制御メッセージをプロトコルスタックバッファに書き込むために、第２の通信回路１００８は、第１の通信回路１００６に関連するプロトコルスタックバッファを実装するように適合された１つまたは複数のストレージデバイスまたはメディアへの読取りアクセスおよび／または書込みアクセスを有し得る。
【００８１】
図１１に、少なくとも１つの実装形態によるプロキシデバイス１１０２の選択構成要素のブロック図を示す。図示のように、第１の通信回路１００６は、無線リンク制御（ＲＬＣ）レイヤバッファ、媒体アクセス制御（ＭＡＣ）レイヤバッファ、および物理（ＰＨＹ）レイヤバッファを含むプロトコルスタックバッファ１１２１を実装するように適合されたストレージデバイス１１２０を含み得る。プロトコルスタックが追加の上位レイヤ（図示せず）を有し得ることに留意されたい。ＭＡＣレイヤバッファおよびＰＨＹレイヤバッファなどのプロトコルスタックバッファの少なくともいくつかは第１の通信回路１００６に関連し得る。言い換えれば、ＭＡＣレイヤバッファおよびＰＨＹレイヤバッファは、第１の通信回路１００６を使用した通信のために処理されたデータ／制御情報を記憶するように構成され得る。第２の通信回路１００８は、第２の通信回路１００８からのパケット化されたデータ／制御メッセージの読取りまたはストレージデバイス１１２２の１つまたは複数のバッファへの書込みを行うための、ストレージデバイス１１２０に結合された第２の通信プロセッサ１１２２を含み得る。
【００８２】
図１２に、第１の通信回路１００６の第１の通信プロセッサ１２２４と第２の通信回路１００８の第２の通信プロセッサ１２２２とに結合された共有ストレージデバイス１２２６を含む別の実施形態によるプロキシデバイス１２０２の選択構成要素のブロック図を示す。したがって、第１の通信回路１００６または第２の通信回路１００８のいずれかによって受信されたデータ／制御メッセージは、共有ストレージデバイス１２２６上に実装されたプロトコルスタックバッファ１２２１に書き込まれ得る。
【００８３】
図１１および図１２に複数の処理回路（たとえば、処理回路１００４、第１の通信プロセッサ１２２４および第２の通信プロセッサ１１２２／１２２２）を備えるプロキシデバイス端末１１０２および１２０２を示すが、複数の処理回路が、様々な実施形態による単一の処理回路として実装され得ることに留意されたい。
【００８４】
追加の特徴によれば、プロキシデバイス１００２の少なくともいくつかの実施形態は、クライアントプロキシリスト上で識別された１つまたは複数のクライアント端末のためのネットワーク接続（たとえば、インターネット接続）、ネットワーク特性（たとえば、チャネル測定値）またはそれらの組合せをモニタするために、１つまたは複数のクライアント端末のためのプロキシとして動作するようにさらに適合され得る。すなわち、プロキシデバイス１００２は、１つまたは複数のクライアント端末のためのプロキシとして働くことに同意していることがある。そのようなプロキシモードでは、プロキシデバイス１００２の処理回路１００４は、それのプロキシとして働くことに同意したクライアント端末に関連する（１つまたは複数の）ネットワーク接続をモニタし得る。必要に応じてデータメッセージがネットワーク接続から受信された場合、処理回路１００４は、第２のワイヤレス通信リンク１０１２を介して第２の通信回路１００８を通してデータおよび／または制御情報を対応するクライアント端末に転送／通信し得る。
【００８５】
たとえば、処理回路１００４は、クライアント端末上で動作するアプリケーションのためのネットワーク接続をモニタしたいという要求をクライアント端末から受信するように適合（たとえば、プログラム）され得る。限定ではなく例として、クライアント端末は、接続をアクティブのままにすべきことを検証するためにキープアライブ信号（またはハートビート）をネットワークに通信することを必要とし得る、通信ネットワークへのアクティブ接続を必要とするアプリケーションを実行していることがある。処理回路１００４は、接続をアクティブに保つために、必要なハートビートを送信したいという要求を含む、ネットワーク接続をモニタしたいという要求を受信し得る。次いで、処理回路１００４は、特定のアプリケーションについて接続要求をネットワークに送信し、次いで、接続をアクティブに保つために必要なハートビートを送信し得る。たとえば、データ／制御メッセージをクライアント端末に送信する準備ができていることを識別するページインジケータを受信すると、処理回路１００４は、それの第２の通信回路１００８を使用してページインジケータを適切なクライアント端末に転送し得る。
【００８６】
代替実装形態では、フェムトセル（femtocell）（またはフェムトセル（femto cell））は、プロキシデバイスの機能を備え得る。フェムトセルは、一般に、自宅または中小企業において使用するように設計された小型セルラー基地局である。フェムトセルは、ローカルクライアント端末（たとえば、モバイルデバイス、ワイヤレスモバイルフォンなど）にサービスプロバイダネットワークへの通信接続性を与える。すなわち、フェムトセルは、クライアント端末への短距離ワイヤレス接続性と、ブロードバンドリンクを介した（たとえば、ワイヤラインまたはワイヤレスインターネットまたはブロードバンド接続を介した）サービスプロバイダネットワークへのアクセスとを与える。フェムトセルにより、サービスプロバイダは、特に、通常ならばアクセスが制限されるかまたは利用不可能になるであろう屋内にサービスカバレージを拡張することができる。一例では、フェムトセルは、サービスプロバイダのネットワークへの通信リンクを与える第１の通信回路と、プロキシデバイスの説明した機能のうちの１つまたは複数を実装し得る第２の通信回路とを含み得る。たとえば、第２の通信回路は、クライアント端末が、サービスプロバイダネットワークにチャネル測定値フィードバックを与えるのを支援し、および／またはクライアント端末のアクティブ同期を支援し得る。
【００８７】
（図１３Ａおよび図１３Ｂを備える）図１３に、第１のおよび／または第２のワイヤレス通信リンク／チャネルを使用した１つまたは複数のクライアント端末との通信を可能にするための、プロキシデバイスにおいて動作可能な方法を示すフローチャートを示す。本明細書に示すように、プロキシデバイスは、クライアント端末が、（ａ）プロキシデバイスを介したバンド外シグナリングを使用したチャネル測定値フィードバックおよび／または（ｂ）プロキシデバイスの支援を受けたアクティブ同期を実行するのを支援するように適合され得る。図１３Ａおよび図１３Ｂに示す方法は一緒に実行されるか、または互いに独立して（別個に）実行され得ることに留意されたい。
【００８８】
クライアント端末がチャネル測定値フィードバックを与えるのを支援する際、プロキシデバイスは、１３００において、第２の通信チャネルを介して第２の通信回路を通してクライアント端末とのワイヤレス通信を確立する。プロキシデバイスは、１３０２において、第２の通信チャネルを介してクライアント端末からフィードバックデータ（および／または制御情報）を受信し、フィードバックデータ（および／または制御情報）は、クライアント端末の第１の通信チャネルの特性に関連する。たとえば、フィードバックデータ（および／または制御情報）は、クライアント端末によって知覚される第１の通信チャネルの１つまたは複数の特性を表し得る。第１の通信チャネルはワイドエリアネットワーク内で動作し得、第２の通信回路はＢｌｕｅｔｏｏｔｈ対応回線である。クライアント端末のための通信チャネルは、ネットワークエンティティと通信するためにクライアント端末によって使用される周波数スペクトルであり得る。プロキシデバイスは、次いで、１３０４において、第１の通信回路を介したネットワークエンティティへの通信のために、受信したフィードバックデータ（および／または制御情報）を、第２の通信回路から、第１の通信回路またはネットワーク通信回路のいずれか１つに転送する。第２の通信回路は、第１の通信回路によるより長距離の送信と比較して短距離の送信に適合され得る。プロキシデバイスは、次いで、１３０６において、クライアント端末の代わりに、受信したフィードバックデータ（および／または制御情報）をネットワークエンティティに通信する。プロキシデバイスは、ネットワークへの送信のためにフィードバックデータ（および／または制御情報）が入れられるプロトコルスタックバッファを含み得る。
【００８９】
クライアント端末がアクティブ同期を実行するのを支援する際、プロキシデバイスは、１３０８において、クライアント端末とネットワークデバイスとの間の通信セッション中にクライアント端末のためのプロキシとして働きたいという要求を受信する。したがって、プロキシデバイスは、１３１０において、クライアント端末の代わりに（たとえば、第１の通信回路またはネットワーク化通信回路を介して）ネットワーク化デバイスに周期的なハートビート信号を送信する。その後、プロキシデバイスは、１３１２において、ネットワーク化デバイスから（たとえば、第１の通信回路またはネットワーク通信回路を介して）通信セッションに関連するデータインジケータを受信し、データインジケータはクライアント端末を対象とする。プロキシデバイスは、次いで、１３１４において、第２の通信チャネルを介してクライアント端末にデータインジケータを送信する。
【００９０】
図に示す構成要素、ステップ、特徴および／または機能のうちの１つまたは複数は、単一の構成要素、ステップ、特徴または機能に再構成されおよび／または組み合わされ得、あるいはいくつかの構成要素、ステップ、または機能で実施され得る。また、本発明から逸脱することなく追加の要素、構成要素、ステップ、および／または機能が追加され得る。図に示した装置、デバイス、および／または構成要素は、図で説明する方法、特徴、またはステップのうちの１つまたは複数を実行するように構成され得る。本明細書で説明する新規のアルゴリズムはまた、効率的にソフトウェアで実装されおよび／またはハードウェアに組み込まれ得る。
【００９１】
また、実施形態について、フローチャート、フローチャート、構造図、またはブロック図として示されたプロセスとして説明することがあることに留意されたい。フローチャートは動作を逐次プロセスとして説明することがあるが、動作の多くは並行してまたは同時に実行され得る。さらに、動作の順序は並べ替えられ得る。プロセスは、その動作が完了すると終了する。プロセスは、メソッド、関数、プロシージャ、サブルーチン、サブプログラムなどに対応し得る。プロセスが関数に対応する場合、その終了は呼び出し関数またはメイン関数への関数の復帰に対応する。
【００９２】
さらに、記憶媒体は、読取り専用メモリ（ＲＯＭ）、ランダムアクセスメモリ（ＲＡＭ）、磁気ディスク記憶媒体、光記憶媒体、フラッシュメモリデバイス、および／または情報を記憶するための他の機械可読媒体、プロセッサ可読媒体、および／またはコンピュータ可読媒体を含む、データを記憶するための１つまたは複数のデバイスを表し得る。「機械可読媒体」、「コンピュータ可読媒体」、および／または「プロセッサ可読媒体」という用語は、限定はしないが、ポータブルまたは固定記憶デバイス、光記憶デバイス、ならびに（１つまたは複数の）命令および／またはデータを記憶、含有または担持することが可能な様々な他の媒体などの非一時的媒体を含み得る。したがって、本明細書で説明する様々な方法は、「機械可読媒体」、「コンピュータ可読媒体」、および／または「プロセッサ可読媒体」に記憶され、１つまたは複数のプロセッサ、機械および／またはデバイスによって実行され得る命令および／またはデータによって完全にまたは部分的に実装され得る。
【００９３】
さらに、実施形態は、ハードウェア、ソフトウェア、ファームウェア、ミドルウェア、マイクロコード、またはそれらの任意の組合せによって実装され得る。ソフトウェア、ファームウェア、ミドルウェアまたはマイクロコードで実装される場合、必要なタスクを実行するためのプログラムコードまたはコードセグメントは記憶媒体あるいは（１つまたは複数の）他の記憶装置などの機械可読媒体に記憶され得る。プロセッサは必要なタスクを実行し得る。コードセグメントは、プロシージャ、関数、サブプログラム、プログラム、ルーチン、サブルーチン、モジュール、ソフトウェアパッケージ、クラス、または命令、データ構造、もしくはプログラムステートメントの任意の組合せを表し得る。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む任意の適切な手段を介して、パス、転送、または送信され得る。
【００９４】
本明細書に開示する例に関連して説明する様々な例示的な論理ブロック、モジュール、回路、要素、および／または構成要素は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブルロジック構成要素、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティング構成要素の組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００９５】
本明細書に開示する例に関連して説明した方法またはアルゴリズムは、ハードウェア、プロセッサによって実行可能なソフトウェアモジュール、または両方の組合せで、処理ユニット、プログラム命令、または他の指令の形態で直接実施され得、単一のデバイスに含まれるかまたは複数のデバイスにわたって分散され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。記憶媒体は、プロセッサがその記憶媒体から情報を読み取り、その記憶媒体に情報を書き込むことができるようにプロセッサに結合され得る。代替として、記憶媒体はプロセッサに一体化され得る。
【００９６】
さらに、本明細書で開示する実施形態に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。
【００９７】
本明細書で説明した本発明の様々な特徴は、本発明から逸脱することなく様々なシステムで実装され得る。上記の実施形態は例にすぎず、本発明を限定するものと解釈すべきではないことに留意されたい。実施形態についての説明は、例示的なものであり、特許請求の範囲を限定するものではない。したがって、本教示は、他のタイプの装置、ならびに多くの代替形態、修正形態、および変更形態に容易に適用できることが当業者には明らかであろう。
以下に、本願出願の当初の特許請求の範囲に記載された発明を付記する。
［Ｃ１］
第１の通信チャネルを介してワイヤレス通信するための第１の通信回路と、
第２の通信チャネルを介してワイヤレス通信するための第２の通信回路と、
前記第１の通信回路と前記第２の通信回路とに結合された処理回路と
を備え、前記処理回路は、
前記第１の通信チャネルと前記第２の通信チャネルとを介してプロキシデバイスとの通信を確立することと、
前記第１の通信回路を電力節約モードで動作させることと
を行うように適合され、前記第１の通信チャネルに関連するフィードバックデータは、前記第１の通信回路をバイパスし、前記第２の通信チャネルを介して搬送される、
クライアント端末。
［Ｃ２］
前記第１の通信回路は、前記第２の通信回路が前記フィードバックデータを搬送するときよりも高いレイテンシで前記フィードバックデータを搬送する、
［Ｃ１］に記載のクライアント端末。
［Ｃ３］
前記第２の通信回路を介した送信は、前記第１の通信回路を介した等価送信よりも低い電力を取る、
［Ｃ１］に記載のクライアント端末。
［Ｃ４］
前記電力節約モードにおいて、前記第１の通信回路のプロトコルスタックの下位レイヤが低電力モードに従って動作する間、前記処理回路は、擬似接続モードに従って前記第１の通信回路の前記プロトコルスタックの少なくとも一部を維持する、
［Ｃ１］に記載のクライアント端末。
［Ｃ５］
前記第１の通信チャネルは、ワイドエリアネットワーク内で動作する、
［Ｃ１］に記載のクライアント端末。
［Ｃ６］
前記第２の通信回路は、前記第１の通信回路によるより長距離の送信と比較して短距離の送信に適合された、
［Ｃ１］に記載のクライアント端末。
［Ｃ７］
前記第１の通信回路と前記処理回路とは、
１つまたは複数のチャネル状態を確認するために前記第１の通信チャネルをモニタすることと、
前記確認された１つまたは複数のチャネル状態に基づいて前記フィードバックデータを生成することと
をさらに行うように適合される、［Ｃ１］に記載のクライアント端末。
［Ｃ８］
前記処理回路は、
前記第１の通信回路のためのバッファから前記フィードバックデータを抽出することと、
前記第２の通信回路を介して前記フィードバックデータを送信することと
を行うように適合される、［Ｃ１］に記載のクライアント端末。
［Ｃ９］
前記第１の通信回路は、複数の無線リソース制御（ＲＲＣ）動作モードを指定するＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）エアインターフェース規格に従って動作する、
［Ｃ１］に記載のクライアント端末。
［Ｃ１０］
前記電力節約モードにおいて、前記第１の通信回路は、セル順方向アクセスチャネル（Ｃｅｌｌ＿ＦＡＣＨ）モードからアイドルモードに遷移する、
［Ｃ９］に記載のクライアント端末。
［Ｃ１１］
前記フィードバックデータは、前記クライアント端末によって知覚される前記第１の通信チャネルの１つまたは複数の特性を表す、
［Ｃ１］に記載のクライアント端末。
［Ｃ１２］
前記処理回路は、
前記第１の通信回路を介してネットワーク化デバイスとの通信セッションを確立することと、ここで、周期的なハートビート信号は、前記通信セッションを有効に保つために前記クライアント端末によって送られるべきである、
前記クライアント端末の代わりに前記周期的なハートビート信号を送り、データインジケータについて前記通信セッションをモニタするようにプロキシデバイスに対してプロキシ要求を送ることと、
前記第２の通信チャネルが転送されたデータインジケータについてモニタされる間に前記第１の通信回路がアイドル化または無効化される低電力モードに切り替えることと
を行うように適合される、［Ｃ１］に記載のクライアント端末。
［Ｃ１３］
前記第２の通信回路と前記処理回路とは、
前記第２の通信チャネルを介して前記転送されたデータインジケータを受信することと、
前記第１の通信チャネルを介して前記通信セッションの一部としてデータを受信するために、前記転送されたデータインジケータを受信の後に接続モードに切り替えことと
をさらに行うように適合される、［Ｃ１２］に記載のクライアント端末。
［Ｃ１４］
クライアント端末において動作可能な方法であって、
第１の通信チャネルを介して第１の通信回路を通してプロキシデバイスとのワイヤレス通信を確立することと、
第２の通信チャネルを介して第２の通信回路を通してプロキシデバイスとのワイヤレス通信を確立することと、
前記第１の通信回路を電力節約モードで動作させることと
を備え、前記第１の通信チャネルに関連するフィードバックデータは、前記第１の通信回路をバイパスし、前記第２の通信チャネルを介して搬送される、
方法。
［Ｃ１５］
前記第２の通信回路を介した送信は、前記第１の通信回路を介した等価送信よりも低い電力を取る、
［Ｃ１４］に記載の方法。
［Ｃ１６］
前記第１の通信チャネルは、ワイドエリアネットワーク内で動作し、前記第２の通信回路は、前記第１の通信回路によるより長距離の送信と比較して短距離の送信に適合される、
［Ｃ１４］に記載の方法。
［Ｃ１７］
前記フィードバックデータは、前記クライアント端末によって知覚される前記第１の通信チャネルの１つまたは複数の特性を表す、
［Ｃ１４］に記載の方法。
［Ｃ１８］
前記電力節約モードにおいて、前記第１の通信回路のプロトコルスタックの下位レイヤが低電力モードに従って動作する間、処理回路は、擬似接続モードに従って前記第１の通信回路の前記プロトコルスタックの少なくとも一部を維持する、［Ｃ１４］に記載の方法。
［Ｃ１９］
１つまたは複数のチャネル状態を確認するために前記第１の通信チャネルをモニタすることと、
前記確認された１つまたは複数のチャネル状態に基づいて前記フィードバックデータを生成することと
をさらに備える、［Ｃ１４］に記載の方法。
［Ｃ２０］
前記第１の通信回路のためのバッファから前記フィードバックデータを抽出することと、
前記第２の通信回路を介して前記フィードバックデータを送信することと
をさらに備える、［Ｃ１４］に記載の方法。
［Ｃ２１］
前記第１の通信回路を介してネットワーク化デバイスとの通信セッションを確立することと、ここで、前記通信セッションを有効に保つために周期的なハートビート信号は、前記クライアント端末によって送られるべきである、
前記クライアント端末の代わりに前記周期的なハートビート信号を送り、データインジケータについて前記通信セッションをモニタするようにプロキシデバイスに対してプロキシ要求を送ることと、
前記第２の通信チャネルが転送されたデータインジケータについてモニタされる間に、前記第１の通信回路がアイドル化または無効化される低電力モードに切り替えることと
をさらに備える、［Ｃ１４］に記載の方法。
［Ｃ２２］
前記第２の通信チャネルを介して前記転送されたデータインジケータを受信することと、
前記第１の通信チャネルを介して前記通信セッションの一部としてデータを受信するために、前記転送されたデータインジケータを受信の後に接続モードに前記第１の通信回路を切り替えることと
をさらに備える、［Ｃ２１］に記載の方法。
［Ｃ２３］
第１の通信チャネルを介して第１の通信回路を通してプロキシデバイスとのワイヤレス通信を確立するための手段と、
第２の通信チャネルを介して第２の通信回路を通してプロキシデバイスとのワイヤレス通信を確立するための手段と、
前記第１の通信回路を電力節約モードで動作させるための手段と
を備え、前記第１の通信チャネルに関連するフィードバックデータは、前記第１の通信回路をバイパスし、前記第２の通信チャネルを介して搬送される、
クライアント端末。
［Ｃ２４］
１つまたは複数のチャネル状態を確認するために前記第１の通信チャネルをモニタするための手段と、
前記確認された１つまたは複数のチャネル状態に基づいて前記フィードバックデータを生成するための手段と
をさらに備える、［Ｃ２３］に記載のクライアント端末。
［Ｃ２５］
前記第１の通信回路のためのバッファから前記フィードバックデータを抽出するための手段と、
前記第２の通信回路を介して前記フィードバックデータを送信するための手段と
をさらに備える、［Ｃ２３］に記載のクライアント端末。
［Ｃ２６］
前記第１の通信回路を介してネットワーク化デバイスとの通信セッションを確立するための手段と、ここで、前記通信セッションを有効に保つために周期的なハートビート信号が前記クライアント端末によって送られるべきである、
前記クライアント端末の代わりに前記周期的なハートビート信号を送り、データインジケータについて前記通信セッションをモニタするようにプロキシデバイスに対してプロキシ要求を送るための手段と、
前記第２の通信チャネルが前記プロキシデバイスからの転送されたデータインジケータについてモニタされる間に、前記第１の通信回路がアイドル化または無効化される低電力モードに切り替えるための手段と
をさらに備える、［Ｃ２３］に記載のクライアント端末。
［Ｃ２７］
クライアント端末上で動作可能な１つまたは複数の命令を備えるプロセッサ可読媒体であって、前記１つまたは複数の命令がプロセッサによって実行されたとき、前記プロセッサに、
第１の通信チャネルを介して第１の通信回路を通してプロキシデバイスとのワイヤレス通信を確立することと、
第２の通信チャネルを介して第２の通信回路を通してプロキシデバイスとのワイヤレス通信を確立することと、
前記第１の通信回路を電力節約モードで動作させることと
を行わせ、前記フィードバックデータは、前記第１の通信回路をバイパスし、前記第２の通信チャネルを介して前記プロキシデバイスに搬送される、
プロセッサ可読媒体。
［Ｃ２８］
前記プロセッサに、
前記第１の通信回路を介してネットワーク化デバイスとの通信セッションを確立すると、前記通信セッションを有効に保つために周期的なハートビート信号は、前記クライアント端末によって送られるべきである、
前記クライアント端末の代わりに前記周期的なハートビート信号を送り、データインジケータについて前記通信セッションをモニタするようにプロキシデバイスに対してプロキシ要求を送ることと、
前記第２の通信チャネルは、前記プロキシデバイスからの転送されたデータインジケータについてモニタされる間に前記第１の通信回路がアイドル化または無効化される低電力モードに切り替えることと
を行わせる１つまたは複数の命令をさらに備える、［Ｃ２７］に記載のプロセッサ可読媒体。
［Ｃ２９］
第１の通信チャネルを介してワイヤレス通信するための第１の通信回路と、
第２の通信チャネルを介してワイヤレス通信するための第２の通信回路と、
前記第１の通信回路と前記第２の通信回路とに結合された処理回路であって、前記処理回路は、
前記第２の通信チャネルを介してクライアント端末からフィードバックデータを受信することと、前記フィードバックデータは、前記クライアント端末のための第１の通信チャネルの特性に関連する、
前記クライアント端末の代わりに前記受信したフィードバックデータをネットワークエンティティに通信することと
を行うように適合される、プロキシデバイス。
［Ｃ３０］
前記プロキシデバイスを前記ネットワークエンティティに結合するためのネットワーク通信回路をさらに備え、前記処理回路は、前記受信したフィードバックデータを、前記第２の通信回路から、前記ネットワークエンティティへの送信のための前記ネットワーク通信回路、または前記第１の通信回路のいずれか１つに転送するようにさらに適合される、
［Ｃ２９］に記載のプロキシデバイス。
［Ｃ３１］
前記第１の通信チャネルがワイドエリアネットワーク内で動作し、前記第２の通信回路がＢｌｕｅｔｏｏｔｈ対応回線である、
［Ｃ２９］に記載のプロキシデバイス。
［Ｃ３２］
前記第２の通信回路は、前記第１の通信回路によるより長距離の送信と比較して短距離の送信に適合された、
［Ｃ２９］に記載のプロキシデバイス。
［Ｃ３３］
前記処理回路に結合され、前記ネットワークエンティティへの送信のために前記フィードバックデータが入れられるプロトコルスタックバッファを実装するように適合されるストレージデバイスをさらに備える、
［Ｃ２９］に記載のプロキシデバイス。
［Ｃ３４］
前記クライアント端末のための通信チャネルの特性に関連する前記フィードバックデータは、前記ネットワークエンティティと通信するために前記クライアント端末によって使用される周波数スペクトルに関連するフィードバックデータを含む、
［Ｃ２９］に記載のプロキシデバイス。
［Ｃ３５］
前記処理回路は、
前記クライアント端末とネットワーク化デバイスとの間の通信セッション中に前記クライアント端末のためのプロキシとして働きたいという要求を前記第２の通信チャネルを介して受信することと、
前記ネットワークエンティティとのネットワーク通信チャネルを介した前記通信セッションを有効に保つために、前記クライアント端末の代わりに前記ネットワーク化デバイスに１つまたは複数の周期的なハートビート信号を送信することと
を行うように適合される、［Ｃ２９］に記載のプロキシデバイス。
［Ｃ３６］
前記処理回路は、
前記ネットワーク通信チャネルを介して前記ネットワーク化デバイスから前記通信セッションに関連するデータインジケータを受信することと、ここで、前記データインジケータは、前記クライアント端末を対象とする、
前記第２の通信チャネルを介して前記データインジケータを前記クライアント端末に転送することと
を行うようにさらに適合される、［Ｃ３５］に記載のプロキシデバイス。
［Ｃ３７］
プロキシデバイスにおいて動作可能な方法であって、
第２の通信回路を用いて第２の通信チャネルを介してクライアント端末からフィードバックデータを受信することと、前記フィードバックデータは、前記クライアント端末のための第１の通信チャネルの特性に関連する、
前記クライアント端末の代わりに前記受信したフィードバックデータをネットワークエンティティに通信することと
を備える、方法。
［Ｃ３８］
前記受信したフィードバックデータを、前記第２の通信回路から、第１の通信回路、または前記受信したフィードバックデータを前記ネットワークエンティティに通信するための前記ネットワークエンティティと通信しているネットワーク通信回路のいずれか１つに転送することをさらに備える、
［Ｃ３７］に記載の方法。
［Ｃ３９］
前記第２の通信回路は、第１の通信回路によるより長距離の送信と比較して短距離の送信に適合される、
［Ｃ３７］に記載の方法。
［Ｃ４０］
前記フィードバックデータは、前記クライアント端末によって知覚される前記第１の通信チャネルの１つまたは複数の特性を表す、
［Ｃ３７］に記載の方法。
［Ｃ４１］
前記クライアント端末とネットワーク化デバイスとの間の通信セッション中に前記クライアント端末のためのプロキシとして働きたいという要求を前記第２の通信チャネルを介して受信することと、
前記ネットワークエンティティとのネットワーク通信チャネルを介した前記通信セッションを有効に保つために、前記クライアント端末の代わりに前記ネットワーク化デバイスに１つまたは複数の周期的なハートビート信号を送信することと
をさらに備える、［Ｃ３７］に記載の方法。
［Ｃ４２］
前記ネットワーク通信チャネルを介して前記ネットワーク化デバイスから前記通信セッションに関連するデータインジケータを受信することと、ここで、前記データインジケータは、前記クライアント端末を対象とする、
前記第２の通信チャネルを介して前記データインジケータを前記クライアント端末に転送することと
をさらに備える、［Ｃ４１］に記載の方法。
［Ｃ４３］
第２の通信チャネルを介してクライアント端末からフィードバックデータを受信するための手段と、ここで、前記フィードバックデータは、前記クライアント端末の第１の通信チャネルの特性に関連する、
前記クライアント端末の代わりに前記受信したフィードバックデータをネットワークエンティティに通信するための手段と
を備える、プロキシデバイス。
［Ｃ４４］
前記第２の通信チャネルを介して前記クライアント端末から前記フィードバックデータを受信するための前記手段は、前記プロキシデバイスの第１の通信回路によるより長距離の送信と比較して短距離の送信に適合された第２の通信回路を含む、
［Ｃ４３］に記載のプロキシデバイス。
［Ｃ４５］
前記ネットワーク通信チャネルを介して前記ネットワーク化デバイスから前記通信セッションに関連するデータインジケータを受信するための手段と、ここで、前記データインジケータは、前記クライアント端末を対象とする、
前記第２の通信チャネルを介して前記データインジケータを前記クライアント端末に転送するための手段と
をさらに備える、［Ｃ４３］に記載のプロキシデバイス。
［Ｃ４６］
プロキシデバイス上で動作可能な１つまたは複数の命令を備えるプロセッサ可読媒体であって、プロセッサによって実行されたとき、前記プロセッサに、
第２の通信回路との第２の通信チャネルを介してクライアント端末からフィードバックデータを受信することと、ここで、前記フィードバックデータは、前記クライアント端末の第１の通信チャネルの特性に関連する、
前記クライアント端末の代わりに前記受信したフィードバックデータをネットワークエンティティに通信することと
を行わせる、プロセッサ可読媒体。
［Ｃ４７］
前記プロセッサによって実行されたとき、前記プロセッサに、
前記受信したフィードバックデータを、前記第２の通信回路から、第１の通信回路、または前記ネットワークエンティティへの通信のためのネットワーク通信回路のいずれか１つに転送することを行わせる１つまたは複数の命令をさらに備える、
［Ｃ４６］に記載のプロセッサ可読媒体。
［Ｃ４８］
前記プロセッサによって実行されたとき、前記プロセッサに、
前記クライアント端末とネットワーク化デバイスとの間の通信セッション中に前記クライアント端末のためのプロキシとして働きたいという要求を前記第２の通信チャネルを介して受信することと、
前記ネットワークエンティティとのネットワーク通信チャネルを介した前記通信セッションを有効に保つために、前記クライアント端末の代わりに前記ネットワーク化デバイスに１つまたは複数の周期的なハートビート信号を送信することと
を行わせる１つまたは複数の命令をさらに備える、［Ｃ４６］に記載のプロセッサ可読媒体。
［Ｃ４９］
前記プロセッサによって実行されたとき、前記プロセッサに、
前記ネットワーク通信チャネルを介して前記ネットワーク化デバイスから前記通信セッションに関連するデータインジケータを受信することと、ここで、前記データインジケータが前記クライアント端末を対象とする、
前記第２の通信チャネルを介して前記データインジケータを前記クライアント端末に転送することと
を行わせる１つまたは複数の命令をさらに備える、［Ｃ４８］に記載のプロセッサ可読媒体。
【図１】
0005755756.tif 000002
【図２】
0005755756.tif 000003
【図３】
0005755756.tif 000004
【図４】
0005755756.tif 000005
【図５】
0005755756.tif 000006
【図６】
0005755756.tif 000007
【図７】
0005755756.tif 000008
【図８】
0005755756.tif 000009
【図９Ａ】
0005755756.tif 000010
【図９Ｂ】
0005755756.tif 000011
【図１０】
0005755756.tif 000012
【図１１】
0005755756.tif 000013
【図１２】
0005755756.tif 000014
【図１３Ａ】
0005755756.tif 000015
【図１３Ｂ】
0005755756.tif 000016